(57)【要約】      （修正有）【課題】単独で使用した場合に、ファッショナブルな第一のバッグと、第二のバッグとを備え、第二のバッグを第一のバッグに収容した場合、第一のバッグと第二のバッグとにより構成される空間（隙間）を有効利用できるようにしたバッグを提供する。【解決手段】第一のバッグ２と、第二のバッグ３とを備え、第一のバッグ２が、一対の第一の留め具６ａ、６ｂの各々を備え、第二のバッグ３が、第一のバッグ２の一対のマチ部４ａ、４ｂの各々の内側の上部に設けられた一対の第一の留め具６ａ、６ｂの各々に着脱可能な一対の第二の留め具２６ａ、２６を備え、第一のバッグ２内に第二のバッグ３を収容固定する際には、第一のバッグの一対のマチ部の各々の内側の上部に設けられた一対の第一の留め具６ａ、６ｂの各々と、第二のバッグ３の一対のマチ部の各々の外側の上部に設けられた一対の第二の留め具２６ａ、２６ｂの各々とを結合するようにした。【選択図】図１
2013202097.tif 000002
【特許請求の範囲】
【請求項１】
第一のバッグと、第二のバッグとを備え、
前記第一のバッグの本体が、その一対のマチ部の各々の内側の上部から所定の位置に一対の第一の留め具の各々を備え、
前記第二のバッグの本体が、その一対のマチ部の各々の外側の上部から所定の位置に、前記第一のバッグの本体に設けられた前記一対マチ部の各々の内側の上部から所定の位置に設けられた、前記一対の第一の留め具の各々に着脱可能な一対の第二の留め具の各々を備え、
前記第一のバッグの本体内に前記第二のバッグを収容固定する際には、前記第一のバッグの本体の前記一対のマチ部の各々の内側の上部から所定の位置に設けられた前記一対の第一の留め具の各々と、前記第二のバッグの本体の一対のマチ部の各々の外側の上部位置に設けられた前記一対の第二の留め具の各々とを結合するようにした、バッグ。
【請求項２】
前記第一のバッグの本体に設けられた一対の第一の留め具の各々が、一対の環体の各々と、前記一対の環体の各々を取り付ける、一対の環体取付け孔の各々を有する、一対の環体取付部材の各々とを備え、
前記一対の環体取付部材の各々の前記一対の環体の各々を取り付ける前記一対の環体取付け孔の各々には、前記一対の環体の各々が摺動可能に挿通されており、
前記第二のバッグの本体に設けられた一対の第二の留め具の各々が、一対の紐体の各々と、前記一対の紐体の各々を取り付ける一対の紐体取付部材の各々と、一対のボタン手段の各々とを備え、
前記第二のバッグの本体に設けられた前記一対の第二の留め具の各々に設けられた、前記一対のボタン手段の各々は、一対の一方体の各々と、前記一対の一方体の各々と着脱可能な一対の他方体の各々とを備え、
前記第二のバッグの本体に設けられた前記一対第二の留め具の各々に設けられた、前記一対のボタン手段の各々の前記一対の一方体の各々は、前記一対の紐体取付部材の各々の中央部または概ね中央部の各々に取り付けられており、
前記一対の紐体の各々は、その一端が、前記一対の紐体取付部材の各々の下方位置に各々取り付けられており、
前記一対のボタン手段の各々の前記一対の他方体の各々は、前記一対の紐体の各々の、前記一対の紐体の各々が前記一対の紐体取付部材の各々に取り付けられている一端とは反対側の他端の近傍位置の各々に設けられており、
前記第二のバッグを単独で使用する際には、前記第二のバッグの本体に設けられた前記一対の第二の留め具の各々の前記一対の紐体取付部材の各々の中央部または概ね中央部の各々に取り付けられた前記一対のボタン手段の前記一対の一方体の各々と、前記第二のバッグの本体に設けられた前記一対第二の留め具の各々の前記一対の紐体の各々の一端とは反対側の他端の近傍位置の各々に設けられている前記一対のボタン手段の各々の前記一対の他方体の各々とを嵌め合わせて使用し、
前記第一のバッグの本体内に前記第二のバッグを収容固定する際には、前記第一のバッグの本体に設けられた前記一対第一の留め具の各々の前記一対の環体の各々に、前記第二のバッグの本体に設けられた前記一対第二の留め具の各々の前記一対の紐体の各々を通した後、前記第二のバッグの本体に設けられた前記一対第二の留め具の各々の前記一対の紐体取付部材の各々の中央部または概ね中央部の各々に取り付けられている前記一対のボタン手段の各々の一対の一方体の各々と、前記第二のバッグの一対の第二の留め具の各々の前記一対の紐体の各々の一端とは反対側の他端の近傍位置の各々に設けられている前記一対のボタン手段の各々の一対の他方体の各々とを嵌め合わせて使用するようにした、請求項１に記載のバッグ。
【請求項３】
第一のバッグと、第二のバッグとを備え、
前記第一のバッグが、その一対のマチ部の各々の内側に、一対の上部が開口したマチ部ポケットの各々を備え、
前記第一のバッグに設けられた前記一対のマチ部の各々の内側に設けられた、前記一対の上部が開口したマチ部ポケットの各々の、前記一対のマチ部の各々の内側に設けられた、前記一対の上部が開口したマチ部ポケットの各々を形成している、前記第一のバッグの本体の内側各々に位置する一対の仕切り面の各々の内面の各々の上部から所定の位置に前記第二のバッグを着脱するための前記一対の第一の留め具の各々を備え、
前記第二のバッグが、その一対のマチ部の各々の外側の上部から所定の位置に、前記第一のバッグに設けられた前記一対のマチ部の各々の内側に設けられた、前記一対の上部が開口したマチ部ポケットの各々の、前記一対のマチ部の各々の内側に設けられた、前記一対の上部が開口したマチ部ポケットの各々を形成している、前記第一のバッグの本体の内側各々に位置する一対の仕切り面の各々の内面の各々の上部から所定の位置に設けられた前記第二のバッグを着脱するために設けられた前記一対の第一の留め具の各々に着脱可能な一対の第二の留め具の各々を備え、
前記第一のバッグの本体内に前記第二のバッグを収容固定する際には、前記第一のバッグの本体の前記一対のマチ部の各々の内側に設けられた前記一対の上部が開口したマチ部ポケットの各々を形成している、前記第一のバッグの本体の内側に位置する前記一対の仕切り面の各々の内面の各々の上部から所定の位置に前記第二のバッグを着脱するための前記一対の第一の留め具の各々と、前記第二のバッグの一対のマチ部の各々の外側の上部位置に設けられた一対の第二の留め具の各々とを結合するようにした、バッグ。
【請求項４】
前記第一のバッグの本体に設けられた前記一対第一の留め具の各々が、一対の環体の各々と、前記一対の環体の各々を取り付ける、一対の環体取付け孔の各々を有する、一対の環体取付部材の各々とを備え、
前記一対の環体取付部材の各々の前記一対の環体の各々を取り付ける前記一対の環体取付け孔の各々には、前記一対の環体の各々が挿通されており、
前記第二のバッグの本体に設けられた前記一対第二の留め具の各々が、一対の紐体の各々と、前記一対の紐体の各々を取り付ける一対の紐体取付部材の各々と、一対のボタン手段の各々とを備え、
前記第二のバッグの本体に設けられた前記一対第二の留め具の各々に設けられた、前記一対のボタン手段の各々は、一対の一方体の各々と、前記一対の一方体の各々と着脱可能な一対の他方体の各々とを備え、
前記第二のバッグの本体に設けられた前記一対第二の留め具の各々に設けられた、前記一対のボタン手段の各々の前記一対の一方体の各々は、前記一対の紐体取付部材の各々の中央部または概ね中央部の各々に取り付けられており、
前記一対の紐体の各々は、その一端が、前記一対の紐体取付部材の各々の下方位置に各々取り付けられており、
前記一対のボタン手段の各々の前記一対の他方体の各々は、前記一対の紐体の各々の、前記一対の紐体の各々が前記一対の紐体取付部材の各々に取り付けられている一端とは反対側の他端の近傍位置の各々に設けられており、
前記第二のバッグを単独で使用する際には、前記第二のバッグの本体に設けられた前記一対第二の留め具の各々の前記一対の紐体取付部材の各々の中央部または概ね中央部の各々に取り付けられた前記一対のボタン手段の各々の前記一対の一方体の各々と、前記第二のバッグの本体に設けられた前記一対第二の留め具の各々の前記一対の紐体の各々の一端とは反対側の他端の近傍位置の各々に設けられている前記一対のボタン手段の各々の一対の他方体の各々とを嵌め合わせて使用し、
前記第一のバッグの本体内に前記第二のバッグを収容固定する際には、前記第一のバッグの本体に設けられた前記一対第一の留め具の各々の前記一対の環体の各々に、前記第二のバッグの本体に設けられた前記一対第二の留め具の各々の前記一対の紐体の各々を通した後、前記第二のバッグの本体に設けられた前記一対第二の留め具の各々の前記一対の紐体取付部材の各々の中央部または概ね中央部の各々に取り付けられている前記一対のボタン手段の各々の前記一対の一方体の各々と、前記第二のバッグの本体に設けられた前記一対第二の留め具の各々の前記一対の紐体の各々の一端とは反対側の他端の近傍位置の各々に設けられている前記一対のボタン手段の各々の前記一対の他方体の各々とを嵌め合わせて使用するようにした、請求項３に記載のバッグ。
【請求項５】
前記第一のバッグの一対のマチ部の各々の内側に設けられた、前記一対の上部が開口したマチ部ポケットの各々を形成するマチ部ポケット側の内側表面の各々が防水加工されている、請求項３又は請求項４に記載のバッグ。
【請求項６】
前記第一のバッグが、底面を有し、
前記第二のバッグが、前記第一のバッグの底面よりやや小さい底面を有し、
前記第一のバッグに設けられた前記一対の第一の留め具の各々と、前記第二のバッグに設けられた前記一対の第二の留め具の各々とを結合し、前記第一のバッグの本体内に前記第二のバッグを収容固定する際には、前記第一のバッグの底面上に、前記第二のバッグの底面が載置されるようにした、請求項１〜５のいずれかに記載のバッグ。
【請求項７】
前記第二のバッグが、前記第二のバッグの一対のマチ部の各々を前記第二のバッグの一対のマチ部の各々の幅方向に見た場合、前記第二のバッグの一対のマチ部の各々の上方の幅が、前記第二のバッグの底面の幅より、やや幅広になっている、請求項１〜６のいずれかに記載のバッグ。
【請求項８】
前記第二のバッグの本体が、側面視した場合、その上方の長さが、前記第二のバッグの本体の底面の長さより、やや長くなっている、請求項１〜７のいずれかに記載のバッグ。
【請求項９】
前記第一のバッグが、両面仕立て（リバーシブル）になっており、前記第一のバッグの本体の対向配置される一対の側面の、少なくとも、一方の側面には、一対のサイドポケットが設けられており、前記一対のサイドポケットは、一方の側面を形成する、第一の素材でできた生地と、第二の素材でできた生地に間に内設されており、前記一対のサイドポケットの一方のサイドポケットは、開閉手段を第一の素材でできた生地の表面に有し、前記一対のサイドポケットの他方のサイドポケットは、開閉手段を第二の素材でできた生地の表面に有し、前記第一の素材でできた生地の表面に開閉手段を有する一方のサイドポケットと、前期第二の素材でできた生地の表面に開閉手段を有する他方のサイドポケットと仕切る仕切り面を備え、前記仕切り面は、第一の仕切り面と、第二の仕切り面の２つの面から構成され、且つ、前記仕切り面の第一の仕切り面の一部と、前記仕切り面の第二の仕切り面の一部とが、重なり合うように設けられている、請求項１〜８のいずれかに記載のバッグ。
【請求項１０】
前記第一のバッグが、上部に開口部と、前記上部の開口部を開閉する開閉手段とを備え、前記第一のバッグに設けられた前記一対の第一の留め具の各々と、前記第二のバッグに設けられた前記一対の第二の留め具の各々とを結合し、前記第一のバッグの本体内に前記第二のバッグを収容固定する際には、前記第二のバッグの上面の位置が、前記第一のバッグの開口部を開閉する手段が設けられている位置よりもやや低い位置になるようにされている、請求項８に記載のバッグ。
【請求項１１】
前記第二のバッグの上面に、開口部と、前記上面に設けられた開口部を開閉する開閉手段を備える、請求項１０に記載のバッグ。
【請求項１２】
前記第二のバッグの上面に開口部には、前記第二のバッグの上面に開口部を囲うように、柔軟で且つ復元力を有する鍔体が設けられている、請求項１１に記載のバッグ。
【請求項１３】
第二のバッグの本体の四周側面に、第二のバッグの四周側面を巻き回りするように、柔軟で復元力を有する第一の帯状部材が設けられており、第一のバッグの本体に設けられた一対の第一の留め具の各々と、第二のバッグの本体に設けられた一対の第二の留め具の各々とを結合し、第一のバッグの本体内に第二のバッグを収容固定した際に、第二のバッグの本体の四周側面に、第二のバッグの本体の四周側面を巻き回りするように設けられた柔軟で復元力を有する第一の帯状部材の形状大きさの元の状態が、第一のバッグの本体の第二のバッグの四周側面に、第二のバッグの本体の四周側面を巻き回りするように設けられた柔軟で復元力を有する第一の帯状部材が設けられた位置に相当する位置の内形状と概ね同じ形状及び大きさにされている、請求項１〜１２のいずれかに記載のバッグ。
【請求項１４】
請求項６に記載のバッグの、第二のバッグの本体の一対のマチ部の各々の外側の各々に、縦方向に、柔軟で復元力を有する一対の第二の帯状部材の各々が設けられている。
【発明の詳細な説明】
【技術分野】
【０００１】
本発明は、バッグの中にバッグを設けたバッグに関する。
【背景技術】
【０００２】
従来から、バッグ本体の中に内袋（中袋）を収容するようにしたバッグ（鞄）が種々提案されている。
図３３は、従来のバッグ本体の中に内袋（中袋）を収容するようにしたバッグの一例を概略的に示す斜視図である。
また、図３４は、図３３中、Ａ−Ａ線に従う断面図である。
また、図３５は、図３３中、Ｂ−Ｂ線に従う断面図である。
【０００３】
このバッグ１０１は、バッグ本体１０２に、内袋（中袋）１０３を出入自在に格納し、この内袋（中袋）１０３の前面版１０３ａ又は後面版１０３ｂにおける上辺の両端個所に設けられた留め具（雄ホック）１０４ａ、１０４ａと、バッグ本体１０２に於ける両側襠部（マチ部）１０６、１０６の上辺部の内側に取り付けられた、一対の舌状片１０７、１０７の各々の先端に、内袋（中袋）に設けられた留め具（雄ホック）１０４ａ、１０４ａと着脱自在に係合して内袋（中袋）１０３を固定する留め具（雌ホック）１０４ｂ、１０４ｂとを備える。
【０００４】
このバッグ１０１は、バッグ本体１０２内に内袋（中袋）１０３を出入自在に格納して、内袋（中袋）１０３に設けられた留め具（雄ホック）１０４ａ、１０４ａの各々と、バッグ本体１０２に設けられた留め具（雌ホック）１０４ｂ、１０４ｂの各々を係合して使用する。
【０００５】
しかしながら、従来の、バッグ本体１０２の中に内袋（中袋）１０３を設けたバッグ１０１は、内袋（中袋）１０３を単独で使用できるとしているものの、内袋（中袋）１０３が、バッグ本体１０２の中に、補助袋として設けられている内袋（中袋）であることが、はっきりと判るものであった。
【０００６】
即ち、従来のバッグ本体１０２の中に内袋（中袋）１０３を設けたバッグ１０１は、内袋（中袋）１０３を単独で使用した場合、内袋（中袋）１０３の前面版１０３ａ又は後面版１０３ｂに設けられた留め具（雄ホック）１０４ａ、１０４ａがついていることが、この内袋（中袋）１０３の所有者や、内袋（中袋）１０３を見る第三者に、はっきりと判るため、この内袋（中袋）１０３は、単独で、セカンドバッグとして使用した場合に、この内袋（中袋）１０３が、何らかのバッグ（鞄）の補助バッグ（付属物）であると判る結果、この内袋（中袋）１０３の所有者にとって、この内袋（中袋）１０３は、見栄えが悪い（ファッション性が劣る）といったような問題があった。
【０００７】
また、従来のバッグ１０１は、バッグ本体１０２に、内袋（中袋）１０３を取り付ける際には、内袋（中袋）１０３は空の状態にされていることを前提にしており、また、バッグ本体１０２に、内袋（中袋）１０３を取り付けた後において、バッグ本体１０２及び内袋（中袋）１０３の有効利用ができていない、という問題もあった。
【先行技術文献】
【特許文献】
【０００８】
【特許文献１】実開昭５９−４１１１１号公報
【特許文献２】実開昭５９−４１１１２号公報
【発明の概要】
【発明が解決しようとする課題】
【０００９】
本発明は、以上のような問題を解決するためになされたものであって、単独で使用した場合に、ファッショナブルな第一のバッグと、単独で使用した場合に、ファッショナブルで且つ第一のバッグであるとは到底思われることのない第二のバッグとを備え、第二のバッグを第一のバッグに収容した場合、第一のバッグと第二のバッグとにより構成される空間（隙間）を有効利用できるようにした、ファッショナブルな、また、利便性を向上させた、バッグを提供することを目的としている。
より具体的に説明すると、本発明は、以下に示すような特徴を有するバッグを提供することを目的としている。
【００１０】
１．第一のバッグ及び第二のバッグの各々を単独で使用した場合に、第一のバッグ及び第二のバッグの所有者や、第一のバッグ及び第二のバッグを見る第三者に、第一のバッグには、第二のバッグを取り付ける部材がついている、といった認識を与えることがないバッグを提供する。
【００１１】
また、第二のバッグが、第一のバッグの内袋（中袋）であるといった認識を与えることがない、見栄えの良い（ファッション性に優れている）といったような印象を与える、ファッショナブルなバッグを提供することを目的としている。
【００１２】
２．第二のバッグを第一のバッグに収容した場合、第一のバッグと第二のバッグとにより構成される空間（隙間）を有効利用ができるようにした、利便性を向上させたバッグを提供する。
３．第二のバッグを第一のバッグに収容した場合に、第一のバッグが第二のバッグによりいびつな形状になり難いファッショナブルなバッグを提供する。
【００１３】
４．第一のバッグを両面仕立て（リバーシブル）にし、第一のバッグの第一の表面または第二の表面のいずれを外面にして使用した場合であっても、見栄えの良い（ファッション性に優れている）印象を与えるファッショナブルなバッグを提供する。
５．第一のバッグの本体内に、第二のバッグを収容するのが容易なバッグを提供する。
【００１４】
６．第一のバッグの本体の対向配置される一対の側面の少なくとも、一方の側面に、一対のサイドポケットが設けられており、第一のバッグを両面仕立て（リバーシブル）にし、第一のバッグの第一の表面を外にして使用した場合であっては、一対のサイドポケットの中、第一のバッグの第一の表面に設けられた一方のサイドポケットの開口部から手指を用いて、一対のサイドポケットの中、第一のバッグの内側に位置する第二の表面に開口部を有する他方のサイドポケット内に収容された内容物を、一対のサイドポケットの中、第一のバッグの第一の表面に設けられた一方のサイドポケット及び第一のバッグの第一の表面に設けられた一方のサイドポケットの開口部から第一のバッグの外側に取り出すことができ、また、第一のバッグの第二の表面を外にして使用した場合であっては、一対のサイドポケットの中、第二のバッグの第二の表面に設けられた他方のサイドポケットの開口部から手指を用いて、一対のサイドポケットの中、第一のバッグの内側に位置する第一の表面に開口部を有する一方のサイドポケット内に収容された内容物を、一対のサイドポケットの中、第一のバッグの第二の表面に設けられた他方のサイドポケット及び第一のバッグの第二の表面に設けられた他方のサイドポケットの開口部から第一のバッグの外側に取り出すことができるようにした、利便性を向上させたバッグを提供する。
【００１５】
７．第一のバッグの対向配置される一対の側面の少なくとも、一方の側面に、一対のサイドポケットが設けられており、第一のバッグを両面仕立て（リバーシブル）にし、第一のバッグの第一の表面を外にして使用した場合であっては、第一のバッグの開口部を閉じたままの状態で、一対のサイドポケットの中、第一のバッグの第一の表面に設けられた一方のサイドポケットの開口部から手指を用いて、第一のバッグ内に収容した内容物を、第一の表面に設けられた一方のサイドポケット及び第一のバッグの第一の表面に設けられた一方のサイドポケットの開口部から第一のバッグの外側に取り出すことができ、また、第一のバッグの第二の表面を外にして使用した場合であっては、第一のバッグの開口部を閉じたままの状態で、一対のサイドポケットの中、第二のバッグの第二の表面に設けられた他方のサイドポケットの開口部から手指を用いて、第一のバッグ内に収容された内容物を、一対のサイドポケットの中、第一のバッグの第二の表面に設けられた他方のサイドポケット及び第一のバッグの第二の表面に設けられた他方のサイドポケットの開口部から第一のバッグの外側に取り出すことができるようにした、利便性を向上させたバッグを提供する。
【００１６】
８．第一のバッグの対向配置される一対の側面の少なくとも、一方の側面に、一対のサイドポケットが設けられており、第一のバッグを両面仕立て（リバーシブル）にし、第一のバッグ内に第二のバッグを収容した場合にあって、第一のバッグの第一の表面を外にして使用した場合であっては、第一のバッグの上部の開口部を開閉手段により閉じたままの状態で、一対のサイドポケットの中、第一のバッグの第一の表面に設けられた一方のサイドポケットの開口部から手指を用いて、第二のバッグ内に収容した内容物を、第一の表面に設けられた一方のサイドポケット及び第一のバッグの第一の表面に設けられた一方のサイドポケットの開口部から第一のバッグの外側に取り出すことができ、また、第一のバッグの第二の表面を外にして使用した場合であっては、第一のバッグの開口部を閉じたままの状態で、一対のサイドポケットの中、第二のバッグの第二の表面に設けられた他方のサイドポケットの開口部から手指を用いて、第二のバッグ内に収容された内容物を、一対のサイドポケットの中、第一のバッグの第二の表面に設けられた他方のサイドポケット及び第一のバッグの第二の表面に設けられた他方のサイドポケットの開口部から第一のバッグの外側に取り出すことができるようにした、利便性を向上させたバッグを提供する。
【００１７】
９．第二のバッグの上面に開口部を設け、第二のバッグの上面に開口部に開閉手段を設けた場合にあって、上部に開口部を有する第一のバッグ内に第二のバッグを収容した場合に、第二のバッグの上面に開口部が、第一のバッグの開口部の方向に位置するように向くようにした、利便性を向上させたバッグ、バッグを提供する。
【課題を解決するための手段】
【００１８】
請求項１に記載のバッグは、第一のバッグと、第二のバッグとを備え、第一のバッグの本体が、その一対のマチ部の各々の内側の上部から所定の位置に一対の第一の留め具を備え、第二のバッグの本体が、その一対のマチ部の各々の外側の上部から所定の位置に、第一のバッグの本体の一対のマチ部の各々の内側の上部から所定の位置に設けられた一対の第一の留め具の各々に着脱可能な一対の第二の留め具の各々を備え、第一のバッグの本体内に第二のバッグを収容固定する際に、第一のバッグの本体の一対のマチ部の各々の内側の上部から所定の位置に設けられた一対の第一の留め具の各々と、第二のバッグの本体の一対のマチ部の各々の外側の上部位置に設けられた一対の第二の留め具の各々とを結合するようにした。
【００１９】
請求項２に記載のバッグは、請求項１に記載のバッグの、第一のバッグの本体に設けられた一対の第一の留め具の各々が、一対の環体の各々と、一対の環体の各々を取り付ける、一対の環体取付け孔の各々を有する一対の環体取付部材の各々とを備え、一対の環体取付部材の各々の一対の環体の各々を取り付ける一対の環体取付け孔の各々には、一対の環体の各々が摺動可能に挿通されており、第二のバッグの本体に設けられた一対の第二の留め具の各々が、一対の紐体の各々と、一対の紐体の各々を取り付ける一対の紐体取付部材の各々と、一対のボタン手段の各々とを備え、第二のバッグの本体に設けられた一対の第二の留め具の各々に設けられた、一対のボタン手段の各々は、一対の一方体の各々と、一対の一方体の各々と着脱可能な対の一対の他方体の各々とを備え、第二のバッグの本体に設けられた一対の第二の留め具の各々に設けられた、一対のボタン手段の各々の一方体の各々は、一対の紐体取付部材の各々の中央部または概ね中央部の各々に取り付けられており、一対の紐体の各々は、その一端が、一対の紐体取付部材の各々の下方位置に各々取り付けられており、一対のボタン手段の各々の一対の他方体の各々は、一対の紐体の各々の、一対の紐体の各々が一対の紐体取付部材の各々に取り付けられている一端とは反対側の他端の近傍位置の各々に設けられており、第二のバッグを単独で使用する際には、第二のバッグの本体に設けられた一対の第二の留め具の各々の一対の紐体取付部材の各々の中央部または概ね中央部の各々に取り付けられた一対のボタン手段の各々の一対の一方体の各々と、第二のバッグの本体に設けられた一対の第二の留め具の各々の紐体の一端とは反対側の他端の近傍位置に設けられている一対のボタン手段の各々の他方体の各々とを嵌め合わせて使用し、第一のバッグの本体内に第二のバッグを収容固定する際に、第一のバッグの本体に設けられた一対の第一の留め具の各々の一対の環体の各々に、第二のバッグの本体に設けられた一対の第二の留め具の各々に一対の紐体の各々を通した後、第二のバッグの本体に設けられた一対の第二の留め具の各々の一対の紐体取付部材の各々の中央部または概ね中央部の各々に取り付けられている一対のボタン手段の各々の一対の一方体の各々と、第二のバッグの本体に設けられた一対の第二の留め具の各々の一対の紐体の各々の一端の各々とは反対側の他端の近傍位置の各々に設けられている一対のボタン手段の各々の一対の他方体の各々とを嵌め合わせて使用するようにした。
【００２０】
請求項３に記載のバッグは、第一のバッグと、第二のバッグとを備え、第一のバッグの本体が、その一対のマチ部の各々の内側に、一対の上部が開口したマチ部ポケットの各々を備え、第一のバッグの本体の一対のマチ部の各々の内側に設けられた、一対の上部が開口したマチ部ポケットの各々を形成している、第一のバッグの本体の内側に位置する一対の仕切り面の各々の内面の各々の上部から所定の位置に第二のバッグを着脱するための一対の第一の留め具の各々を備え、第二のバッグの本体が、その一対のマチ部の各々の外側の上部から所定の位置に、第一のバッグの本体の一対のマチ部の各々の内側に設けられた、一対の上部が開口したマチ部ポケットの各々の一対の上部が開口したマチ部ポケットの各々を形成している、第一のバッグの本体の内側に位置する一対の仕切り面の各々の内面の各々の上部から所定の位置に設けられた第二のバッグを着脱するために設けられた一対の第一の留め具の各々に着脱可能な一対の第二の留め具を備え、第一のバッグの本体内に第二のバッグを収容固定する際に、第一のバッグの本体の一対のマチ部の各々の内側に設けられた一対の上部が開口したマチ部ポケットの各々を形成している、一対の第一のバッグの本体の内側に位置する一対の仕切り面の各々の内面の各々の上部から所定の位置に第二のバッグを着脱するための一対の第一の留め具の各々と、第二のバッグの本体の一対のマチ部の各々の外側の上部位置に設けられた一対の第二の留め具の各々とを結合するようにした。
【００２１】
請求項４に記載のバッグは、請求項３に記載のバッグの、第一のバッグの本体に設けられた一対の第一の留め具の各々が、一対の環体の各々と、一対の環体の各々を取り付ける一対の環体取付け孔の各々を有する一対の環体取付部材の各々を備え、一対の環体取付部材の各々の一対の環体の各々を取り付ける一対の環体取付け孔の各々には、一対の環体の各々が挿通されており、第二のバッグの本体に設けられた一対の第二の留め具の各々が、一対の紐体の各々と、一対の紐体の各々を取り付ける一対の紐体取付部材の各々と、一対のボタン手段の各々とを備え、第二のバッグの本体に設けられた一対の第二の留め具の各々に設けられた、一対のボタン手段の各々は、一対の一方体の各々と、一対の一方体の各々と着脱可能な一対の他方体の各々とを備え、第二のバッグの本体に設けられた一対の第二の留め具の各々に設けられた、一対のボタン手段の各々の一対の一方体の各々は、一対の紐体取付部材の各々の中央部または概ね中央部の各々に取り付けられており、一対の紐体の各々は、その一端が、一対の紐体取付部材の各々の下方位置に各々取り付けられており、一対のボタン手段の各々の一対の他方体の各々は、一対の紐体の各々の、一対の紐体の各々が一対の紐体取付部材の各々に取り付けられている一端とは反対側の他端の近傍位置の各々に設けられており、第二のバッグを単独で使用する際には、第二のバッグの本体に設けられた一対の第二の留め具の各々の一対の紐体取付部材の各々の中央部または概ね中央部の各々に取り付けられた一対のボタン手段の各々の一対の一方体の各々と、第二のバッグの本体に設けられた一対の第二の留め具の各々の一対の紐体の各々の一端とは反対側の他端の近傍位置の各々に設けられている一対のボタン手段の各々の一対の他方体の各々とを嵌め合わせて使用し、第一のバッグの本体内に第二のバッグを収容固定する際には、第一のバッグの本体に設けられた一対の第一の留め具の各々の一対の環体の各々に、第二のバッグの本体に設けられた一対の第二の留め具の各々の一対の紐体の各々を通した後、第二のバッグの本体に設けられた一対の第二の留め具の各々の一対の紐体取付部材の各々の中央部または概ね中央部の各々に取り付けられているボタン手段の各々の一方体の各々と、第二のバッグの本体に設けられた一対の第二の留め具の各々の一対の紐体の各々の一端とは反対側の他端の近傍位置の各々に設けられているボタン手段の一対の他方体の各々とを嵌め合わせて使用するようにした。
【００２２】
請求項５に記載のバッグは、請求項３又は請求項４に記載のバッグの、第一のバッグの本体の一対のマチ部の各々の内側に設けられた、一対の上部が開口したマチ部ポケットを形成する内側表面の各々が防水加工されている。
【００２３】
請求項６に記載のバッグは、請求項１〜５のいずれかに記載のバッグの第一のバッグの本体が、底面を有し、第二のバッグの本体が、第一のバッグの本体の底面よりやや小さい底面を有し、第一のバッグの本体に設けられた一対の第一の留め具の各々と、第二のバッグの本体に設けられた一対の第二の留め具の各々とを結合し、第一のバッグの本体内に第二のバッグを収容固定した際に、第一のバッグの本体に設けられた一対の第一の留め具の各々と、第二のバッグの本体に設けられた一対の第二の留め具の各々とを結合した際に、第一のバッグの本体の底面上に、第二のバッグの本体の底面が載置されるようにした。
【００２４】
請求項７に記載のバッグは、請求項１〜６のいずれかに記載のバッグの、第二のバッグの本体が、第二のバッグの本体の一対のマチ部の各々を第二のバッグの本体の一対のマチ部の各々の幅方向に見た場合、第二のバッグの本体の一対のマチ部の各々上方の幅が、第二のバッグの本体の底面の幅より、やや幅広になっている。
【００２５】
請求項８に記載のバッグは、請求項１〜７のいずれかに記載のバッグの、第二のバッグの本体が、側面視した場合、その上方の長さが、第二のバッグの本体の底面の長さより、やや長くなっている。
【００２６】
請求項９に記載のバッグは、請求項１〜８のいずれかに記載のバッグの、第一のバッグが、両面仕立て（リバーシブル）になっており、第一のバッグの本体の対向配置される一対の側面の、少なくとも、一方の側面には、一対のサイドポケットが設けられており、一対のサイドポケットは、一方の側面を形成する、第一の素材でできた生地と、第二の素材でできた生地に間に内設されており、一対のサイドポケットの一方のサイドポケットは、開閉手段を第一の素材でできた生地の表面に有し、一対のサイドポケットの他方のサイドポケットは、開閉手段を第二の素材でできた生地の表面に有し第一の素材でできた生地の表面に開閉手段を有する一方のサイドポケットと、一対のサイドポケットの第二の素材でできた生地の表面に開閉手段を有する他方のサイドポケットと仕切る仕切り面を備え、仕切り面は、第一の仕切り面と、第二の仕切り面の２つの面から構成され、且つ、仕切り面の第一の仕切り面の一部と、第二の仕切り面の一部とが、重なり合うように設けられている。
【００２７】
請求項１０に記載のバッグは、請求項９に記載のバッグの、第一のバッグの本体が、上部に開口部と、上部の開口部を開閉する開閉手段とを備え、第一のバッグの本体に設けられた一対の第一の留め具の各々と、第二のバッグの本体に設けられた一対の第二の留め具の各々とを結合し、第一のバッグの本体内に第二のバッグを収容固定した際に、第二のバッグの上面の位置が、第一のバッグの本体の開口部を開閉する開閉手段が設けられている位置よりもやや低い位置になるようにされている。
請求項１１に記載のバッグは、請求項１０に記載のバッグの、第二のバッグの本体の上面に、開口部と、上面に設けられた開口部を開閉する開閉手段を備える。
【００２８】
請求項１２に記載のバッグは、請求項１１に記載のバッグの、第二のバッグの本体の上面に開口部には、第二のバッグの本体の上面に開口部を囲うように、柔軟で且つ復元力を有する鍔体が設けられている。
【００２９】
請求項１３に記載のバッグは、請求項１〜１１のいずれかに記載のバッグの、第二のバッグの本体の四周側面に、第二のバッグの四周側面を巻き回りするように、柔軟で復元力を有する第一の帯状部材が設けられており、第一のバッグの本体に設けられた一対の第一の留め具の各々と、第二のバッグの本体に設けられた一対の第二の留め具の各々とを結合し、第一のバッグの本体内に第二のバッグを収容固定した際に、第二のバッグの本体の四周側面に、第二のバッグの本体の四周側面を巻き回りするように設けられた柔軟で復元力を有する第一の帯状部材の形状大きさの元の状態が、第一のバッグの本体の、第二のバッグの四周側面に、第二のバッグの本体の四周側面を巻き回りするように設けられた柔軟で復元力を有する第一の帯状部材が設けられた位置に相当する位置の内形状と概ね同じ形状及び大きさにされている。
【００３０】
請求項１４に記載のバッグは、請求項６に記載のバッグの、第二のバッグの本体の一対のマチ部の各々の外側の各々に、縦方向に、柔軟で復元力を有する一対の第二の帯状部材の各々が設けられている。
【発明の効果】
【００３１】
請求項１に記載のバッグでは、第一のバッグの本体に設けられた一対の第一の留め具の各々の取り付け位置を、第一のバッグの本体の一対のマチ部の各々の内側の上部から所定の位置という、第一のバッグの目立たない位置、又は、仮に、第一のバッグの所有者や第一のバッグを見る第三者が、一対の第一の留め具の各々に注目したとしても、一対の第一の留め具が、装飾として、又はキーホルダーや携帯電話のストラップ等の小物類を取り付ける部材であると認識するので、第一のバッグの本体に設けた一対の第一の留め具の各々が、目立つことがなく、又は、仮に、第一のバッグの所有者や第一のバッグを見る第三者が、一対の第一の留め具各々に注目したとしても、第一のバッグの所有者や第一のバッグを見る第三者は、一対の第一の留め具の各々を、第一のバッグの装飾を高めるために第一のバッグに設けられていると認識するので、第一のバッグは、美観に優れ、よそ行き用、外出用のバッグとして、好適に用いることができる。
【００３２】
また、請求項１に記載のバッグの第二のバッグの本体に設けられた一対の第一の留め具の各々取り付け位置は、第二のバッグの目立たない位置、又は、仮に、第二のバッグの所有者や第二のバッグを見る第三者が、第二のバッグの本体の一対のマチ部の各々の外側の上部から所定の位置に設けられた一対の第二の留め具の各々に注目したとしても、当該一対の第二の留め具の各々を、装飾であるとして認識する位置であるとして認識するので、第二のバッグの本体に設けた一対の第二の留め具の各々が、目立つことがなく、又は、仮に、第一のバッグの所有者や第一のバッグを見る第三者が、一対の第二の留め具の各々に注目したとしても、第一のバッグの所有者や第一のバッグを見る第三者は、一対の第二の留め具の各々を、第二のバッグの装飾を高めるために第二のバッグの本体に設けられていると認識するので、第二のバッグは、美観に優れ、よそ行き用、外出用のバッグとして、好適に用いることができる。
【００３３】
即ち、請求項１に記載のバッグは、第一のバッグ及び第二のバッグの各々を単独で使用した場合に、第一のバッグ及び第二のバッグの所有者や、第一のバッグ及び第二のバッグを見る第三者に、第一のバッグには、第二のバッグを取り付ける部材がついている、といった認識を与えることがなく、また、第二のバッグが、第一のバッグの内袋（中袋）であるといった認識を与えることがない、見栄えの良い（ファッション性に優れている）といったような印象を与える。
【００３４】
また、請求項１に記載のバッグは、第一のバッグの本体内に第二のバッグを収容固定すると、第一のバッグの本体に設けられた一対の側面の一方の側面と、第二のバッグの本体に設けられた一対の側面の一方（又は他方）の側面との間に隙間（空間）が形成され、且つ、第一のバッグの本体に設けられた一対の側面の他方の側面と、第二のバッグの本体に設けられた一対の側面の他方（又は一方）の側面との間に隙間（空間）が形成される。
【００３５】
即ち、請求項１に記載のバッグにおいて、第一のバッグの本体に設けられた一対の第一の留め具の各々と、第二のバッグの本体に設けられた一対の第二の留め具の各々とを結合し、第一のバッグの本体内に第二のバッグを収容固定した際に形成される、第一のバッグの本体に設けられた一対の側面の一方の側面と、第二のバッグの本体に設けられた一対の側面の一方（又は他方）の側面との間に隙間（空間）と、第一のバッグの本体に設けられた一対の側面の他方の側面と、第二のバッグの本体に設けられた一対の側面の他方（又は一方）の側面との間に隙間（空間）とは、第一のバッグの一対の内側サイドポケットとして利用することができる。
【００３６】
のみならず、請求項１に記載のバッグでは、第一のバッグの本体に設けられた一対の第一の留め具の各々と、第二のバッグの本体に設けられた一対の第二の留め具の各々とを結合し、第一のバッグの本体内に第二のバッグを収容固定した際に形成される、第一のバッグの本体に設けられた一対の側面の一方の側面と、第二のバッグの本体に設けられた一対の側面の一方（又は他方）の側面との間に隙間（空間）（一対のサイドポケットの一方）と、第一のバッグの本体に設けられた一対の側面の他方の側面と、第二のバッグの本体に設けられた一対の側面の他方（又は一方）の側面との間に隙間（空間）（一対のサイドポケットの他方）とは、第二のバッグの本体の外表面と、第一のバッグの本体の内表面とが導通しているので、第一のバッグの本体に設けられた一対の側面の他方の側面と、第二のバッグの本体に設けられた一対の側面の他方（又は一方）の側面との間に隙間（空間）（一対のサイドポケットの他方）から人の手指や腕などを挿入し、第一のバッグの本体に設けられた一対の側面の一方の側面と、第二のバッグの本体に設けられた一対の側面の一方（又は他方）の側面との間に隙間（空間）（一対のサイドポケットの一方）に収容した物を第一のバッグの本体に設けられた一対の側面の他方の側面と、第二のバッグの本体に設けられた一対の側面の他方（又は一方）の側面との間に隙間（空間）（一対のサイドポケットの他方）から取り出したり、また、第一のバッグの本体に設けられた一対の側面の一方の側面と、第二のバッグの本体に設けられた一対の側面の一方（又は他方）の側面との間に隙間（空間）（一対のサイドポケットの一方）から人の手指や腕などを挿入し、第一のバッグの本体に設けられた一対の側面の他方の側面と、第二のバッグの本体に設けられた一対の側面の他方（又は一方）の側面との間に隙間（空間）（一対のサイドポケットの他方）に収容した物を第一のバッグの本体に設けられた一対の側面の一方の側面と、第二のバッグの本体に設けられた一対の側面の一方（又は他方）の側面との間に隙間（空間）（一対のサイドポケットの一方）から取り出したりすることができる。
【００３７】
また、請求項１に記載のバッグでは、第一のバッグの本体に設けられた一対の第一の留め具の各々と、第二のバッグの本体に設けられた一対の第二の留め具の各々とを結合し、第一のバッグの本体内に第二のバッグを収容固定した際に形成される、第一のバッグの本体に設けられた一対の側面の一方の側面と、第二のバッグの本体に設けられた一対の側面の一方（又は他方）の側面との間に隙間（空間）（一対のサイドポケットの一方）と、第一のバッグの本体に設けられた一対の側面の他方の側面と、第二のバッグの本体に設けられた一対の側面の他方（又は一方）の側面との間に隙間（空間）（一対のサイドポケットの他方）とは、第二のバッグの本体の外表面と、第一のバッグの本体の内表面とが導通しているので、第一のバッグの本体に設けられた一対の第一の留め具の各々と、第二のバッグの本体に設けられた一対の第二の留め具の各々とを結合し、第一のバッグの本体内に第二のバッグを収容固定した際に形成される、第一のバッグの本体に設けられた一対の側面の一方の側面と、第二のバッグの本体に設けられた一対の側面の一方（又は他方）の側面との間に隙間（空間）（一対のサイドポケットの一方）と、第一のバッグの本体に設けられた一対の側面の他方の側面と、第二のバッグの本体に設けられた一対の側面の他方（又は一方）の側面との間に隙間（空間）（一対のサイドポケットの他方）との双方にまたがるような比較的大きな物を収容することができる。
【００３８】
即ち、請求項１に記載のバッグは、第一のバッグの本体に設けられた一対の第一の留め具の各々と、第二のバッグの本体に設けられた一対の第二の留め具の各々とを結合し、第一のバッグの本体内に第二のバッグを収容固定した場合、第一のバッグの本体と第二のバッグの本体とにより構成される空間（隙間）を有効利用ができるので、利便性に優れている。
請求項２に記載のバッグは、請求項１に記載のバッグの第一のバッグに設けられている一対の第一の留め具の各々の好ましい例を規定する。
【００３９】
請求項２に記載のバッグでは、請求項１に記載のバッグの第一のバッグに設けられている一対の第一の留め具の各々を、一対の環体の各々と、一対の環体の各々を取り付ける、一対の環体取付け孔の各々を有する、一対の環体取付部材の各々とを備え、一対の環体取付部材の各々の一対の環体の各々を取り付ける一対の環体取付け孔の各々には、一対の環体の各々が摺動可能に挿通されている、という構成にしたので、第一のバッグの所有者や、第一のバッグを見る第三者が、第一のバッグに設けられている一対の第一の留め具の各々を、第一のバッグに設けられている装飾に過ぎないと考える結果、目立つことがなく、又は、仮に、第一のバッグの所有者や第一のバッグを見る第三者が、第一のバッグに設けられている一対の第一の留め具に注目したとしても、一対の第一の留め具を構成する取付部材を、第一のバッグに設けられている装飾に過ぎない、または、キーホルダーや携帯電話のストラップ等の小物類を取り付ける部材であると認識する。
【００４０】
従って、請求項２に記載のバッグは、第一のバッグを、単独で使用した場合に、第一のバッグの所有者や、第一のバッグを見る第三者が、第一のバッグに設けられている一対の第一の留め具の各々を、第一のバッグに設けられている装飾に過ぎないと考える結果、目立つことがなく、又は、仮に、バッグの所有者や第一のバッグを見る第三者が、第一のバッグに設けられている一対の第一の留め具に注目したとしても、一対の第一の留め具を構成する取付部材を、第一のバッグに設けられている装飾に過ぎない、または、キーホルダーや携帯電話のストラップ等の小物類を取り付ける部材であると認識する構成としたので、美観に優れている。
【００４１】
また、請求項２に記載のバッグは、第二のバッグを単独で使用する際には、第二のバッグの一対の第二の留め具の各々の一対の紐体取付部材の各々の中央部または概ね中央部の各々に取り付けられた一対のボタン手段の各々の一対の一方体の各々と、第二のバッグの一対の第二の留め具の各々の一対の紐体の各々の一端の各々とは反対側の他端の近傍位置に各々設けられている一対のボタン手段の各々の一対の他方体の各々とを嵌め合わせると、第二のバッグの一対の第二の留め具の各々は、あたかも、第二のバッグの一対のマチ部の各々の内側の上部から所定の位置に設けられた一対の鍔体部の各々と、一対の鍔体部の各々を第二のバッグに取り付けする際に、一対の鍔体の各々と第二のバッグの一対のマチ部との接続場所を強固にするための固定手段（例えば、ビス等）のように見え、一対の紐体の各々が、一対の鍔体部を装飾するために、固定手段（例えば、ビス等）に取り付けられているように見える。このため、請求項２に記載のバッグの第二のバッグは、美観に優れている。
【００４２】
また、請求項２に記載のバッグでは、第二のバッグとして、一般のバッグに共通するように、バッグの一対の側面部の各々に比べて目立たない、バッグの一対のマチ部の各々の外側の上部位置の各々に、あたかも、第二のバッグの一対のマチ部の各々の内側の上部から所定の位置に設けられた一対の鍔体部の各々と、一対の鍔体部の各々を第二のバッグに取り付けする際に、一対の鍔体の各々と第二のバッグの一対のマチ部との接続場所を強固にするための固定手段（例えば、ビス等）のように見え、一対の紐体の各々が、一対の鍔体部を装飾するために、固定手段（例えば、ビス等）に取り付けられているように見える構成を備える、一対の第二の留め具を取り付けるようにしたので、第二のバッグは、美観に優れ、よそ行き用、外出用のバッグとして、好適に用いることができる。
また、請求項２に記載のバッグは、請求項１に記載のバッグの従属項として規定されているので、請求項１に記載のバッグと同様の効果を奏する。
【００４３】
請求項３に記載のバッグでは、第一のバッグに設けられた一対の第一の留め具の取り付け位置を、第一のバッグの一対のマチ部の各々の内側に設けられた上部が開口したマチ部ポケットを形成している、第一のバッグの本体の内側に位置する一対の仕切り面の各々の内面の各々の上部から所定の位置という、第一のバッグの目立たない位置、又は、仮に、第一のバッグの所有者や第一のバッグを見る第三者が、一対の第一の留め具の各々に注目したとしても、一対の第一の留め具の各々が、装飾として、又はキーホルダーや携帯電話のストラップ等の小物類を取り付ける部材であると認識するのが普通な位置に設けているので、第一のバッグに設けた一対の第一の留め具が、目立つことがなく、又は、仮に、第一のバッグの所有者や第一のバッグを見る第三者が、一対の第一の留め具の各々に注目したとしても、一対の第一の留め具の各々は、第一のバッグの装飾を高めるために第一のバッグに設けられていると認識するので、第一のバッグは、美観に優れ、よそ行き用、外出用のバッグとして、好適に用いることができる。
【００４４】
且つ、請求項３に記載のバッグでは、第二のバッグの一対の第二の留め具の各々の取り付け位置を、第二のバッグの目立たない位置、又は、仮に、第二のバッグの所有者や第二のバッグを見る第三者が、一対の第二の留め具の各々に注目したとしても、一対の第二の留め具が、装飾である、と認識するのが普通な位置に設けているので、第二のバッグに設けた一対の第二の留め具の各々が、目立つことがなく、又は、仮に、第二のバッグの所有者や第一のバッグを見る第三者が、一対の第二の留め具の各々に注目したとしても、一対の第二の留め具の各々は、第二のバッグの装飾を高めるために第二のバッグに設けられていると認識するので、第二のバッグは、美観に優れ、よそ行き用、外出用のバッグとして、好適に用いることができる。
【００４５】
即ち、請求項３に記載のバッグは、第一のバッグ及び第二のバッグの各々を単独で使用した場合に、第一のバッグ及び第二のバッグの所有者や、第一のバッグ及び第二のバッグを見る第三者に、第一のバッグには、第二のバッグを取り付ける部材がついている、といった認識を与えることがなく、また、第二のバッグが、第一のバッグの内袋（中袋）であるといった認識を与えることがない、見栄えの良い（ファッション性に優れている）といったような印象を与える。
【００４６】
のみならず、請求項３に記載のバッグでは、第一のバッグに設けられた一対の第一の留め具の各々と、第二のバッグに設けられた一対の第二の留め具の各々とを結合し、第一のバッグの本体内に第二のバッグを収容固定すると、第一のバッグの本体の一対の側面の一方の側面と、第二のバッグの本体の一対の側面の一方（又は他方）の側面との間に隙間（空間）が形成され、且つ、第一のバッグの一対の側面の他方の側面と、第二のバッグの一対の側面の他方（又は一方）の側面との間に隙間（空間）が形成される。
【００４７】
即ち、請求項３に記載のバッグは、請求項１に記載のバッグと同様、第一のバッグの本体内に第二のバッグを収容固定する際に、第一のバッグと第二のバッグとにより構成される空間（隙間）を有効利用ができるので、利便性に優れている。
【００４８】
更に、請求項３に記載のバッグは、第一のバッグのマチ部の各々が、一対の上部が開口したマチ部ポケットの各々を形成している、第一のバッグの本体の内側に位置する一対の仕切り面の各々により機械的強化が高くなっている。
【００４９】
したがって、請求項３に記載のバッグでは、第一のバッグに設けられた一対の第一の留め具の各々と、第二のバッグに設けられた一対の第二の留め具の各々とを結合し、第一のバッグの本体内に第二のバッグを収容固定する際に、第一のバッグの一対のマチ部の各々の内側に設けられた上部が開口したマチ部ポケットを形成している、第一のバッグの本体の内側に位置する一対の仕切り面の各々の内面の各々の上部から所定の位置に第二のバッグを着脱するための一対の第一の留め具の各々と、第二のバッグの一対のマチ部の各々の外側の上部位置に設けられた一対の第二の留め具の各々とを結合した場合、第一のバッグのマチ部の各々は、第一のバッグの一対のマチ部の各々の内側に設けられた上部が開口したマチ部ポケットを形成している、第一のバッグの本体の内側に位置する一対の仕切り面の各々により、機械的強化が高くなっている。
【００５０】
この結果、請求項３に記載のバッグでは、第一のバッグに設けられた一対の第一の留め具の各々と、第二のバッグに設けられた一対の第二の留め具の各々とを結合し、第一のバッグの本体内に第二のバッグを収容固定した場合に、第一のバッグのマチ部の各々が、第一のバッグの一対のマチ部の各々の内側に設けられた上部が開口したマチ部ポケットを設けていないバッグに比べ、変形や歪が生じ難い。
【００５１】
即ち、請求項３に記載のバッグの第一のバッグは、第一のバッグに設けられた一対の第一の留め具の各々と、第二のバッグに設けられた一対の第二の留め具の各々とを結合し、第一のバッグの本体内に第二のバッグを収容固定した場合に、第一のバッグの一対のマチ部の各々の内側に設けられた上部が開口したマチ部ポケットを設けていないバッグに比べ、第二のバッグによって、第一のバッグのマチ部の各々が変形や歪が生じ難い分だけ、第一のバッグの形状保持性が保たれる。
【００５２】
従って、請求項３に記載のバッグの第一のバッグは、第一のバッグに設けられた一対の第一の留め具の各々と、第二のバッグに設けられた一対の第二の留め具の各々とを結合し、第一のバッグの本体内に第二のバッグを収容固定した場合に、第一のバッグの一対のマチ部の各々の内側に設けられた上部が開口したマチ部ポケットを設けていないバッグに比べ、美観に優れている。
【００５３】
即ち、請求項３に記載のバッグの第一のバッグは、第一のバッグに設けられた一対の第一の留め具の各々と、第二のバッグに設けられた一対の第二の留め具の各々とを結合し、第一のバッグの本体内に第二のバッグを収容固定して使用した場合に、美観に優れているので、第二のバッグを第一のバッグに収容し固定した状態で、よそ行き用、外出用のバッグとして、好適に用いることができる。
【００５４】
また、請求項３に記載のバッグでは、第一のバッグの一対のマチ部の各々の内側に設けられたマチ部ポケットは、上部が開口しているので、例えば、飲料水の入ったペットボトルその他の容器の出し入れは、第一のバッグの上下方向で行えるので、例えば、飲料水の入ったペットボトルその他の容器を縦にして収容するのに適している。
【００５５】
そして、請求項３に記載のバッグでは、請求項３に記載のバッグの第一のバッグの一対のマチ部の各々の内側に設けられた上部が開口したマチ部ポケットの各々のいずれか一方又は双方に、例えば、飲料水の入ったペットボトルその他の容器を縦にして収容し、第一のバッグに設けられた一対の第一の留め具の各々と、第二のバッグに設けられた一対の第二の留め具の各々とを結合し、第一のバッグの本体内に第二のバッグを収容固定して使用した場合は、第一のバッグの一対のマチ部の各々の内側に設けられた上部が開口したマチ部ポケット内に何も収容していない場合に比べて、第一のバッグの一対のマチ部の各々の内側に設けられた上部が開口したマチ部ポケットの各々のいずれか一方又は双方に、例えば、飲料水等の入ったペットボトルその他の容器を縦にして収容した分、機械的強度が高くなる。
【００５６】
したがって、請求項３に記載のバッグでは、第一のバッグに設けられた一対の第一の留め具の各々と、第二のバッグに設けられた一対の第二の留め具の各々とを結合し、第一のバッグの本体内に第二のバッグを収容固定し、第一のバッグの一対のマチ部の各々の内側に設けられた一対の上部が開口したマチ部ポケットの各々の一方又は双方に、例えば、飲料水の入ったペットボトルその他の容器を縦にして収容すれば、第一のバッグの一対のマチ部の各々の内側に設けられた一対の上部が開口したマチ部ポケットの各々に何も収容していない場合に比べ、第一のバッグの本体の第一のバッグのマチ部の各々が、変形や歪が生じ難い。
【００５７】
この結果、請求項３に記載のバッグの第一のバッグは、第一のバッグに設けられた一対の第一の留め具の各々と、第二のバッグに設けられた一対の第二の留め具の各々とを結合し、第一のバッグの本体内に第二のバッグを収容固定した場合に、第一のバッグの一対のマチ部の各々の内側に設けられた一対の上部が開口したマチ部ポケットの各々の一方又は双方に、例えば、飲料水等の入ったペットボトルその他の容器を縦にして収容すれば、第一のバッグの一対のマチ部の各々の内側に設けられた一対の上部が開口したマチ部ポケットの各々の一方又は双方に何も収容することなく、第一のバッグに設けられた一対の第一の留め具の各々と、第二のバッグに設けられた一対の第二の留め具の各々とを結合し、第一のバッグの本体内に第二のバッグを収容固定した場合に比べ、第二のバッグによって、第一のバッグのマチ部の各々が変形や歪が生じ難い分だけ、第一のバッグの形状保持性が保たれる。
【００５８】
即ち、請求項３に記載のバッグの第一のバッグは、第一のバッグに設けられた一対の第一の留め具の各々と、第二のバッグに設けられた一対の第二の留め具の各々とを結合し、第一のバッグの本体内に第二のバッグを収容固定して使用した場合に、第一のバッグの一対のマチ部の各々の内側に設けられた一対の上部が開口したマチ部ポケットの各々の一方又は双方に、例えば、飲料水の入ったペットボトルその他の容器を縦にして収容すれば、第一のバッグが第二のバッグによって変形や歪が生じ難い分だけ、美観に優れているので、第一のバッグに設けられた一対の第一の留め具の各々と、第二のバッグに設けられた一対の第二の留め具の各々とを結合し、第一のバッグの本体内に第二のバッグを収容固定した状態で、第一のバッグの一対のマチ部の各々の内側に設けられた一対の上部が開口したマチ部ポケットの各々の一方又は双方に、例えば、飲料水等の入ったペットボトルその他の容器を縦にして収容して収容する、よそ行き用、外出用のバッグとして、好適に用いることができる。
【００５９】
請求項４に記載のバッグでは、請求項３に記載のバッグの第一のバッグに設けられている一対の第一の留め具の各々を、第一のバッグの一対の第一の留め具の各々が、一対の環体の各々と、一対の環体の各々を取り付ける、一対の環体取付け孔の各々を有する、一対の環体取付部材の各々とを備え、一対の環体取付部材の各々の一対の環体の各々を取り付ける一対の環体取付け孔の各々には、一対の環体の各々が摺動可能に挿通されている、という構成にしたので、第一のバッグの所有者や、第一のバッグを見る第三者が、第一のバッグに設けられている一対の第一の留め具の各々を、第一のバッグに設けられている装飾に過ぎないと考える結果、目立つことがなく、又は、仮に、バッグの所有者や第一のバッグを見る第三者が、第一のバッグに設けられている一対の第一の留め具に注目したとしても、一対の第一の留め具を構成する取付部材を、第一のバッグに設けられている装飾に過ぎない、または、キーホルダーや携帯電話のストラップ等の小物類を取り付ける部材であると認識する。
【００６０】
即ち、請求項４に記載のバッグでは、第一のバッグは、単独で使用した場合に、第一のバッグの所有者や、第一のバッグを見る第三者が、第一のバッグに設けられている一対の第一の留め具の各々を、第一のバッグに設けられている装飾に過ぎないと考える結果、目立つことがなく、又は、仮に、バッグの所有者や第一のバッグを見る第三者が、第一のバッグに設けられている一対の第一の留め具に注目したとしても、一対の第一の留め具を構成する取付部材を、第一のバッグに設けられている装飾に過ぎない、または、キーホルダーや携帯電話のストラップ等の小物類を取り付ける部材であると認識する構成としたので、美観に優れている。
【００６１】
また、請求項４に記載のバッグは、第二のバッグを単独で使用する際に、第二のバッグの一対の第二の留め具の各々の一対の紐体取付部材の各々の中央部または概ね中央部の各々に取り付けられた一対のボタン手段の各々の一対の一方体の各々と、第二のバッグの一対の第二の留め具の各々の一対の紐体の各々の一端の各々とは反対側の他端の近傍位置に各々設けられている一対のボタン手段の各々の一対の他方体の各々とを嵌め合わせると、第二のバッグの一対の第二の留め具の各々は、あたかも、第二のバッグの一対のマチ部の各々の内側の上部から所定の位置に設けられた一対の鍔体部の各々と、一対の鍔体部の各々を第二のバッグに取り付けする際に、一対の鍔体の各々と第二のバッグの一対のマチ部との接続場所を強固にするための固定手段（例えば、ビス等）のように見え、一対の紐体の各々が、一対の鍔体部を装飾するために、固定手段（例えば、ビス等）に取り付けられているように見え、また、一般に、バッグの一対のマチ部の各々の幅や大きさは、バッグの一対の側面部の各々の長さや大きさに比べ、小さいいために、バッグの一対のマチ部の各々は、バッグの側面部の各々に比べ、目立たない。
【００６２】
即ち、請求項４に記載のバッグでは、第二のバッグとして、一般のバッグに共通するように、バッグの一対の側面部の各々に比べて目立たない、バッグの一対のマチ部の各々の外側の上部位置の各々に、あたかも、第二のバッグの一対のマチ部の各々の内側の上部から所定の位置に設けられた一対の鍔体部の各々と、一対の鍔体部の各々を第二のバッグに取り付けする際に、一対の鍔体の各々と第二のバッグの一対のマチ部との接続場所を強固にするための固定手段（例えば、ビス等）のように見え、一対の紐体の各々が、一対の鍔体部を装飾するために、固定手段（例えば、ビス等）に取り付けられているように見える構成を備える、一対の第二の留め具を取り付けるようにしたので、第二のバッグは、美観に優れ、よそ行き用、外出用のバッグとして、好適に用いることができる。
【００６３】
のみならず、請求項４に記載のバッグでは、第一のバッグに設けられた一対の第一の留め具の各々と、第二のバッグに設けられた一対の第二の留め具の各々とを結合し、第一のバッグの本体内に第二のバッグを収容固定すると、第一のバッグの本体の一対の側面の一方の側面と、第二のバッグの本体の一対の側面の一方（又は他方）の側面との間に隙間（空間）が形成され、且つ、第一のバッグの一対の側面の他方の側面と、第二のバッグの一対の側面の他方（又は一方）の側面との間に隙間（空間）が形成される。
【００６４】
即ち、請求項４に記載のバッグは、請求項１に記載のバッグと同様、第一のバッグの本体内に第二のバッグを収容固定する際に、第一のバッグと第二のバッグとにより構成される空間（隙間）を有効利用ができるので、利便性に優れている。
また、請求項４に記載のバッグは、請求項３に記載のバッグの従属項として規定されているので、請求項３に記載のバッグの効果と同様の効果を奏する。
【００６５】
請求項５に記載のバッグは、第一のバッグの一対のマチ部の各々の内側に設けられた、一対の上部が開口したマチ部ポケットの各々を形成するポケット側の内側表面の各々を防水加工しているので、一対の上部が開口したマチ部ポケットの各々に、例えば、冷えた飲料水等の入ったペットボトルその他の容器を収容した場合冷えた飲料水等の入ったペットボトルその他の容器の表面に結露を生じても、冷えた飲料水等の入ったペットボトルその他の容器の表面に結露した水が、一対の上部が開口したマチ部ポケットの各々から第一のバッグ内に漏れ出たり、及び／又は、第一のバッグの表面を漏れでたり、濡らすようなことが無い。
【００６６】
即ち、請求項５に記載のバッグは、第一のバッグの一対のマチ部の各々の内側に設けられた、一対の上部が開口したマチ部ポケットの各々を形成するポケット側の内側表面の各々を防水加工しているので、第一のバッグの一対のマチ部の各々の内側に設けられた、一対の上部が開口したマチ部ポケットの各々内に冷えた飲料水等の入ったペットボトルその他の容器を収容しても、冷えた飲料水等の入ったペットボトルその他の容器の表面に結露した水が、一対の上部が開口したマチ部ポケットの各々から第一のバッグ内に漏れ出たりすることがないので、第一のバッグを単独で使用している場合には、第一のバッグ内の収容物を水で汚すことがなく、また、第一のバッグ内に第二のバッグを収容している場合には、第二のバッグの表面を水で汚すことがない。
【００６７】
また、請求項５に記載のバッグは、請求項３又は請求項４に記載のバッグの従属項をして規定されているので、請求項３又は請求項４に記載のバッグと同様の効果を奏する。
【００６８】
請求項６に記載のバッグでは、第一のバッグの本体内に第二のバッグを収容固定する際に、第一のバッグの本体に設けられた一対の第一の留め具の各々と、第二のバッグの本体に設けられた一対の第二の留め具の各々とを結合すると、第一のバッグの本体の底面上に、第二のバッグの本体の底面が載置されるようにしたので、第一のバッグの本体内に第二のバッグを収容固定した際に、第一のバッグの本体内に、内袋を宙刷り構造にしたバッグや、第一のバッグの側面の内表面に、内袋を取り付け構造のバッグに比べ、第一のバッグの本体内に第二のバッグを収容固定した際の、第一のバッグの本体の変形や歪が少ないので、第一のバッグは、美観に優れている。
【００６９】
従って、請求項６に記載のバッグの第一バッグは、第一のバッグに設けられた一対の第一の留め具の各々と、第二のバッグに設けられた一対の第二の留め具の各々とを結合し、第一のバッグの本体内に第二のバッグを収容固定して、よそ行き用、外出用のバッグとして、好適に用いることができる。
【００７０】
また、請求項６に記載のバッグは、請求項１〜５のいずれかに記載のバッグの従属項をして規定されているので、請求項１〜５のいずれかに記載のバッグの効果と同様の効果を奏する。
【００７１】
請求項７に記載のバッグは、第二のバッグが、第二のバッグの一対のマチ部の各々を第二のバッグの一対のマチ部の各々の幅方向に見た場合、第二のバッグの一対のマチ部の各々の上方の幅が、上方から下方に向かって次第に狭くなるという、上方から下方に向かって尖がった形状（第二のバッグの一対のマチ部の各々の幅が次第に狭くなる形状）を有するので、第二のバッグは、第一のバッグの本体内に収容しやすい。
【００７２】
また、請求項７に記載のバッグは、請求項１〜６のいずれかに記載のバッグの従属項をして規定されているので、請求項１〜６のいずれかに記載のバッグと同様の効果を奏する。
【００７３】
請求項８に記載のバッグでは、第二のバッグの本体が、側面視した場合、その上方の長さが、第二のバッグの本体の底面の長さより、やや長くなっているので、第二のバッグの一対の側面の各々の上方の長さが、上方から下方に向かって次第に狭くなるという、上方から下方に向かって尖がった形状（第二のバッグの一対の側面の各々の長さが次第に狭くなる形状）を有するので、第二のバッグは、第一のバッグの本体内に収容しやすい。
【００７４】
また、請求項８に記載のバッグは、請求項１〜７のいずれかに記載のバッグの従属項をして規定されているので、請求項１〜７のいずれかに記載のバッグと同様の効果を奏する。
【００７５】
請求項９に記載のバッグは、第一のバッグの第一の素材でできた生地の表面を外にして使用した場合であっては、第一のバッグの対向配置される一対の側面、少なくとも、一方の側面に設けられた、一対のサイドポケットの他方のサイドポケット内に収容された内容物を、一対のサイドポケットの中、第一のバッグの側面の第一の素材でできた生地の表面に設けられた一方のサイドポケットの開閉手段（開閉具）（スライドファスナー）から手指を用いて、第一の仕切り面と、第二の仕切り面の２つの面から構成され、第一の仕切り面の一部と、第二の仕切り面の一部とが、重なり合うように設けられている、一方のサイドポケットと、他方のサイドポケットとを仕切る仕切り面の隙間を介して、第一のバッグの外側に取り出すことができる。
【００７６】
また、請求項９に記載のバッグは、第一のバッグの第二の素材でできた生地の表面を外にして使用した場合であっては、第一のバッグの対向配置される一対の側面の、少なくとも、一方の側面に設けられた、一対のサイドポケットの一方のサイドポケット内に収容された内容物を、一対のサイドポケットの中、第一のバッグの側面の第二の素材でできた生地の表面に設けられた他方のサイドポケットの開閉手段（開閉具）（スライドファスナー）から手指を用いて、第一の仕切り面と、第二の仕切り面の２つの面から構成され、第一の仕切り面の一部と、第二の仕切り面の一部とが、重なり合うように設けられている、一方のサイドポケットと、他方のサイドポケットとを仕切る仕切り面の隙間を介して、第一のバッグの外側に取り出すことができる。
【００７７】
更には、請求項９に記載のバッグは、第一のバッグの第一の素材でできた生地の表面を外にして使用した場合であって、第一のバッグの本体内に第二のバッグを、第一のバッグに設けられた一対の第一の留め具の各々と、第二のバッグに設けられた一対の第二の留め具の各々とを結合し、第一のバッグの本体内に第二のバッグを収容固定している場合にあっては、第一のバッグの本体の一対の側面の一方の側面と、第二のバッグの本体の一対の側面の一方の側面との間に隙間（空間）内に収容されている内容物や、第一のバッグの本体の一対の側面の他方の側面と、第二のバッグの本体の一対の側面の他方の側面との間に隙間（空間）内に収容されている内容物や、第二のバッグの本体内に収容されている内容物や、第二のバッグの本体の一対の側面の一方の側面に設けられているサイドポケット内の内容物や、第二のバッグの本体の一対の側面の他方の側面の外側の所定の位置に設けられている、一対の、上部が開口したサイドポケットの各々内に収容されている内容部を、第一のバッグの側面の第一の素材でできた生地の表面に設けられた他方のサイドポケットの開閉手段（開閉具）（スライドファスナー）から手指を用いて、第一の仕切り面と、第二の仕切り面の２つの面から構成され、第一の仕切り面の一部と、第二の仕切り面の一部とが、重なり合うように設けられている、一方のサイドポケットａと、他方のサイドポケットとを仕切る仕切り面の隙間、及び、第一のバッグの側面の裏面の第二の素材でできた生地の表面に開閉手段（開閉具）（スライドファスナー）を備える他方のサイドポケットを介して、第一のバッグの外側に取り出すことができる。
【００７８】
また、請求項９に記載のバッグは、請求項１〜８のいずれかに記載のバッグの従属項をして規定されているので、請求項１〜７のいずれかに記載のバッグと同様の効果を奏する。
【００７９】
請求項１０に記載のバッグは、第一のバッグに設けられた一対の第一の留め具の各々と、第二のバッグに設けられた一対の第二の留め具の各々とを結合し、第一のバッグの本体内に第二のバッグを収容固定した際に、第二のバッグの上面の位置が、第一のバッグの本体の開口部を開閉する開閉手段が設けられている位置よりもやや低い位置になるようにされている。
【００８０】
従って、請求項１０に記載のバッグは、第一のバッグの第一の素材でできた生地の表面を外にして使用した場合であっては、第一のバッグの本体の開口部を開閉する開閉手段の結合を解除することなく、第一のバッグの本体の開口部を閉じたままの状態にして、第一のバッグの対向配置される一対の側面の、少なくとも、一方の側面に設けられた、一対のサイドポケットの他方のサイドポケット内に収容された内容物を、一対のサイドポケットの中、第一のバッグの側面の第一の素材でできた生地の表面に設けられた一方のサイドポケットの開閉手段（開閉具）（スライドファスナー）から手指を用いて、第一の仕切り面と、第二の仕切り面の２つの面から構成され、第一の仕切り面の一部と、第二の仕切り面の一部とが、重なり合うように設けられている、一方のサイドポケットと、他方のサイドポケットとを仕切る仕切り面の隙間を介して、第一のバッグの外側に取り出すことができる。
【００８１】
また、請求項１０に記載のバッグは、第一のバッグの第二の素材でできた生地の表面を外にして使用した場合であっては、第一のバッグの本体の開口部を開閉する開閉手段の結合を解除することなく、第一のバッグの本体の開口部を閉じたままの状態にして、第一のバッグの対向配置される一対の側面の、少なくとも、一方の側面に設けられた、一対のサイドポケットの一方のサイドポケット内に収容された内容物を、一対のサイドポケットの中、第一のバッグの側面の第二の素材でできた生地の表面に設けられた他方のサイドポケットの開閉手段（開閉具）（スライドファスナー）から手指を用いて、第一の仕切り面と、第二の仕切り面の２つの面から構成され、第一の仕切り面の一部と、第二の仕切り面の一部とが、重なり合うように設けられている、一方のサイドポケットと、他方のサイドポケットとを仕切る仕切り面の隙間を介して、第一のバッグの外側に取り出すことができる。
【００８２】
更には、請求項１０に記載のバッグは、第一のバッグの第一の素材でできた生地の表面を外にして使用した場合であって、第一のバッグの本体内に第二のバッグを、第一のバッグに設けられた一対の第一の留め具の各々と、第二のバッグに設けられた一対の第二の留め具の各々とを結合し、第一のバッグの本体内に第二のバッグを収容固定している場合にあっては、第一のバッグの本体の開口部を開閉する開閉手段の結合を解除することなく、第一のバッグ２の本体の開口部を閉じたままの状態にして、第一のバッグの本体の一対の側面の一方の側面と、第二のバッグの本体の一対の側面の一方の側面との間に隙間（空間）内に収容されている内容物や、第一のバッグの本体の一対の側面の他方の側面と、第二のバッグの本体の一対の側面の他方の側面との間に隙間（空間）内に収容されている内容物や、第二のバッグの本体内に収容されている内容物や、第二のバッグの本体の一対の側面の一方の側面に設けられているサイドポケット内の内容物や、第二のバッグの本体の一対の側面の他方の側面の外側の所定の位置に設けられている、一対の、上部が開口したサイドポケットの各々内に収容されている内容部を、第一のバッグの側面の第一の素材でできた生地の表面に設けられた他方のサイドポケットの開閉手段（開閉具）（スライドファスナー）から手指を用いて、第一の仕切り面と、第二の仕切り面の２つの面から構成され、第一の仕切り面の一部と、第二の仕切り面の一部とが、重なり合うように設けられている、一方のサイドポケットと、他方のサイドポケットとを仕切る仕切り面の隙間、及び、第一のバッグ２側面の裏面の第二の素材でできた生地の表面に開閉手段（開閉具）（スライドファスナー）を備える他方のサイドポケットを介して、第一のバッグの外側に取り出すことができる。
また、請求項１０に記載のバッグは、請求項８に記載のバッグの従属項をして規定されているので、請求項８に記載のバッグと同様の効果を奏する。
【００８３】
請求項１１に記載のバッグは、第一のバッグに設けられた一対の第一の留め具の各々と、第二のバッグに設けられた一対の第二の留め具の各々とを結合し、第一のバッグの本体内に第二のバッグを収容固定した後に、第一のバッグの上部に設けられた開口部を開閉する手段により開いた状態にし、第二のバッグの上部に設けられた開口部を開閉手段により開いた状態にすれば、第一のバッグの上部に設けられた開口部から、第二のバッグの内部に収容された内容物を、第二のバッグの上部に設けられた開口部及び第一のバッグの上部に設けられた開口部を介して、第一のバッグの外に取り出すことができるので、利便性に優れている。
また、請求項１１に記載のバッグは、請求項１０に記載のバッグの従属項をして規定されているので、請求項１０に記載のバッグと同様の効果を奏する。
【００８４】
請求項１２に記載のバッグでは、第一のバッグの本体に設けられた一対の第一の留め具の各々と、第二のバッグの本体に設けられた一対の第二の留め具の各々とを結合し、第一のバッグの本体内に第二のバッグを収容固定した後に、第一のバッグの本体の上部に設けられた開口部を開閉する開閉手段により開いた状態にすれば、第二のバッグの本体の上面に開口部を囲うように設けられた鍔体が、第一のバッグの本体内に収容された、第二のバッグの本体の上面の開口部を上方向に位置するように、即ち、第一のバッグの本体の上部に設けられた開口部と、第二のバッグの本体の上面に開口部とが同じ方向、即ち、ともに、上方向に位置するようにしている。
【００８５】
この結果、請求項１２に記載のバッグは、第一のバッグの本体に設けられた一対の第一の留め具の各々と、第二のバッグの本体に設けられた一対の第二の留め具の各々とを結合し、第一のバッグの本体内に第二のバッグを収容固定した後に、第一のバッグの本体の上部に設けられた開口部を開閉手段により開いた状態にすれば、第二のバッグの本体の上面に開口部を囲うように設けられた鍔体が、第一のバッグの本体の上部に設けられた開口部と、第二のバッグの本体の上面に開口部とが同じ方向、即ち、ともに、上方向に位置するようにしているので、第二のバッグの本体の内部に収容された内容物を、第二のバッグの本体の上部に設けられた開口部及び第一のバッグの本体の上部に設けられた開口部を介して、容易に、第一のバッグの本体の外に取り出すことができるので、利便性に優れている。
また、請求項１２に記載のバッグは、請求項１１に記載のバッグの従属項をして規定されているので、請求項１１に記載のバッグと同様の効果を奏する。
【００８６】
請求項１３に記載のバッグは、第一のバッグの本体内に第二のバッグを収容固定した際に、第一のバッグの本体内において、第二のバッグが外乱等により動くことが、第二のバッグの本体の四周側面に、第二のバッグの本体の四周側面を巻き回りするように設けられた柔軟で復元力を有する第一の帯状部材により制限される。
【００８７】
この結果、請求項１３に記載のバッグは、第一のバッグの本体に設けられた一対の第一の留め具の各々と、第二のバッグの本体に設けられた一対の第二の留め具の各々とを結合し、第一のバッグの本体内に第二のバッグを収容固定した際に、第一のバッグの本体が第二のバッグによりいびつに変形するようなことが生じ難いので、第一のバッグは、その美観が優れている。
【００８８】
従って、請求項１３に記載のバッグの第一のバッグは、第一のバッグの本体に設けられた一対の第一の留め具の各々と、第二のバッグの本体に設けられた一対の第二の留め具の各々とを結合し、第一のバッグの本体内に第二のバッグを収容固定して、よそ行き用、外出用のバッグとして、好適に用いることができる。
【００８９】
また、請求項１３に記載のバッグは、請求項１〜１２のいずれかに記載のバッグの従属項をして規定されているので、請求項１〜１２のいずれかに記載のバッグの効果と同様の効果を奏する。
【００９０】
また、請求項１３に記載のバッグは、第二のバッグの本体の一対のマチ部の各々の外側の各々に、縦方向に、柔軟で復元力を有する一対の第二の帯状部材の各々を備えるので、第一のバッグの本体に設けられた一対の第一の留め具の各々と、第二のバッグの本体に設けられた一対の第二の留め具の各々とを結合し、第一のバッグの本体内に第二のバッグを収容固定した際に、第一のバッグの本体内において、第二のバッグが外乱等により変形している場合にあっても、第二のバッグの本体の一対のマチ部の各々の外側の各々に、縦方向に、設けられた、一対の第二の帯状部材の各々の復元力により、第二のバッグの本体が元の状態に戻るので、第一のバッグの本体内に第二のバッグを収容した際に、第一のバッグの本体の底面上に、第二のバッグの本体の底面が載置されるようなる。
【００９１】
また、請求項１４に記載のバッグでは、第一のバッグの本体に設けられた一対の第一の留め具の各々と、第二のバッグの本体に設けられた一対の第二の留め具の各々とを結合し、第一のバッグの本体内に第二のバッグを収容固定した際に、第一のバッグの本体内に収容された内容物が、第一のバッグの本体の底面と、第二のバッグの本体の底面との間にある場合には、第二のバッグの本体の一対のマチ部の各々の外側の各々に、縦方向に、設けられた、一対の第二の帯状部材の各々の復元力により、第二のバッグの本体が元の状態に戻ろうとする復元力（付勢力）により、第一のバッグの本体の底面に、緩やかに押し付けられ、第一のバッグの本体内に収容された内容物が、外乱により動くことがある程度規制される。
【００９２】
この結果、請求項１４に記載のバッグは、第一のバッグの本体に設けられた一対の第一の留め具の各々と、第二のバッグの本体に設けられた一対の第二の留め具の各々とを結合し、第一のバッグの本体内に第二のバッグを収容固定した際に、第二のバッグが第一のバッグの本体の底面によって、及び／又は、第一のバッグの本体内に収容された内容物が第一のバッグの本体の底面と、第二のバッグの本体の底面との間にある場合には、そのような内容物が外乱により動くことがある程度規制される結果、第一のバッグの本体がいびつに変形するようなことが生じ難い。
【００９３】
即ち、請求項１４に記載のバッグは、第一のバッグの本体に設けられた一対の第一の留め具の各々と、第二のバッグの本体に設けられた一対の第二の留め具の各々とを結合し、第一のバッグの本体内に第二のバッグを収容固定した際の美観が優れている。
【００９４】
従って、請求項１４に記載のバッグの第一のバッグは、第一のバッグの本体内に第二のバッグを収容固定して、よそ行き用、外出用のバッグとして、好適に用いることができる。
また、請求項１４に記載のバッグは、請求項６に記載のバッグの従属項をして規定されているので、請求項６に記載のバッグと同様の効果を奏する。
【図面の簡単な説明】
【００９５】
【図１】本発明に係るバッグの好ましい一例を概略的に示す斜視図である。
【図２】本発明に係るバッグを構成する第一のバッグの好ましい一例を概略的に示す斜視図である。
【図３】図２に示す第一のバッグを概略的に示す正面図である。
【図４】図２に示す第一のバッグを概略的に示す背面図である。
【図５】図２に示す第一のバッグを概略的に示す左側面図である。
【図６】図２に示す第一のバッグを概略的に示す右側面図である。
【図７】図２に示す第一のバッグを概略的に示す平面図である。
【図８】図２に示す第一のバッグを概略的に示す底面図である。
【図９】本発明に係るバッグを構成する第二のバッグの好ましい一例を概略的に示す斜視図である。
【図１０】図９に示す第二のバッグを概略的に示す正面図である。
【図１１】図９に示す第二のバッグを概略的に示す背面図である。
【図１２】図９に示す第二のバッグを概略的に示す左側面図である。
【図１３】図９に示す第二のバッグを概略的に示す右側面図である。
【図１４】図９に示す第二のバッグを概略的に示す平面図である。
【図１５】図９に示す第二のバッグを概略的に示す底面図である。
【図１６】本発明に係るバッグを構成する第一のバッグの本体の一対のマチ部の中、一方のマチ部を、第一のバッグの本体の内側から第一のバッグの本体の一方のマチ部方向に見た状態を、一対のマチ部ポケット中、一方のマチ部ポケットを形成している第一のバッグの本体の内側の各々に位置する仕切り面、第一の留め具及びその周辺を中心にして、概略的に示す左側面図である。
【図１７】本発明に係るバッグを構成する第一のバッグの本体の一対のマチ部の中、他方のマチ部を、第一のバッグの本体の内側から第一のバッグの本体の他方のマチ部方向に見た状態を、一対のマチ部ポケット中、他方のマチ部ポケットを形成している第一のバッグの本体の内側の各々に位置する仕切り面、第一の留め具及びその周辺を中心にして、概略的に示す右側面図である。
【図１８】図１５中、第二のバッグの本体の一対のマチ部の一方のマチ部に設けられている第二の留め具及びその周辺を中心にして、概略的に示す斜視図であり、図１８（ａ）は、第二の留め具のボタン手段を留めた状態（ボタン手段の一対の一方体と他方体とを嵌め合わせた状態）を概略的に示す斜視図であり、また、図１８（ｂ）は、第二の留め具のボタン手段を外した状態（ボタン手段の一対の一方体と他方体との嵌め合わせを解除した状態）を概略的に示す斜視図である。
【図１９】図１５中、第二のバッグの本体の一対のマチ部の他方のマチ部に設けられている第二の留め具及びその周辺を中心にして、概略的に示す斜視図であり、図１９（ａ）は、第二の留め具のボタン手段を留めた状態（ボタン手段の一対の一方体と他方体とを嵌め合わせた状態）を概略的に示す斜視図であり、また、図１９（ｂ）は、第二の留め具のボタン手段を外した状態（ボタン手段の一対の一方体と他方体との嵌め合わせを解除した状態）を概略的に示す斜視図である。
【図２０】ベルト手段を構成する第一のベルト手段を概略的に示す図であり、図２０（ａ）は、第一のベルト手段を概略的に示す平面図であり、また、図２０（ｂ）は、第一のベルト手段を概略的に示す側面図である。
【図２１】フック手段を拡大して概略的に示す斜視図である。
【図２２】ベルト手段を構成する第二のベルト手段を概略的に示す図であり、図２２（ａ）は、第二のベルト手段を概略的に示す平面図であり、図２２（ｂ）は、第二のベルト手段を概略的に示す側面図であり、また、図２２（ｃ）は、第二のベルト手段を概略的に示す底面図である。
【図２３】本発明を構成する第一のバッグの本体内に、本発明を構成する第二のバッグを収容固定する際の方法（手順）を概略的に説明する説明図である。
【図２４】本発明に係るバッグを構成する第１のバックの本体内に、本発明に係るバッグを構成する第二のバッグを収容固定した状態のバッグの模式的な断面図である。
【図２５】図２に示す第一のバッグ２を裏返しにした状態を概略的に示す斜視図である。
【図２６】図２に示す第一のバッグ２を裏返しにした状態を概略的に示す正面図である。
【図２７】図２に示す第一のバッグ２を裏返しにした状態を概略的に示す背面図である。
【図２８】図２に示す第一のバッグ２を裏返しにした状態を概略的に示す左側面図である。
【図２９】図２に示す第一のバッグ２を裏返しにした状態を概略的に示す右側面図である。
【図３０】図２に示す第一のバッグ２を裏返しにした状態を概略的に示す平面図である。
【図３１】図２に示す第一のバッグ２を裏返しにした状態を概略的に示す底面図である。
【図３２】本発明を構成する第一のバッグの対向配置される一対の側面の、少なくとも、一方の側面に内設されている、一対のサイドポケットの一部を切り欠いて断面図として示す、概略的な一部切り欠き断面図である。
【図３３】従来のバッグ本体の中に内袋（中袋）を収容するようにしたバッグの一例を概略的に示す斜視図である。
【図３４】図３２中、Ａ−Ａ線に従う断面図である。
【図３５】図３２中、Ｂ−Ｂ線に従う断面図である。
【発明を実施するための形態】
【００９６】
以下、本発明に係るバッグの好ましい一例を例示的に説明する。
図１は、本発明に係るバッグの好ましい一例を概略的に示す斜視図である。
【００９７】
また、図２は、本発明に係るバッグを構成する第一のバッグの好ましい一例を概略的に示す斜視図であり、図３は、図２に示す第一のバッグ２を概略的に示す正面図であり、図４は、図２に示す第一のバッグ２を概略的に示す背面図であり、図５は、図２に示す第一のバッグ２を概略的に示す左側面図であり、図６は、図２に示す第一のバッグ２を概略的に示す右側面図であり、図７は、図２に示す第一のバッグ２を概略的に示す平面図であり、また、図８は、図２に示す第一のバッグ２を概略的に示す底面図である。
【００９８】
また、図９は、本発明に係るバッグを構成する第二のバッグの好ましい一例を概略的に示す斜視図であり、図１０は、図９に示す第二のバッグ３を概略的に示す正面図であり、図１１は、図９に示す第二のバッグ３を概略的に示す背面図であり、図１２は、図９に示す第二のバッグ３を概略的に示す左側面図であり、図１３は、図９に示す第二のバッグ３を概略的に示す右側面図であり、図１４は、図９に示す第二のバッグ３を概略的に示す平面図であり、また、図１５は、図９に示す第二のバッグ３を概略的に示す底面図である。
このバッグ１は、第一のバッグ２と、第二のバッグ３とを備える。
まず、第一のバッグ２の構成について説明する。
第一のバッグ２は、上部Ｓｕ２ａに開口部ｈ２ａを有する本体２ａと、一対のマチ部４ａ、４ｂと、一対の側面ＳＷ２ａ、ＳＷ２ｂと、底面Ｓｂ２ｂとを備える。
第一のバッグ２の底面Ｓｂ２ｂには、板状の芯材（図示せず。）が内設されている。
第一のバッグ２は、両面仕立て（リバーシブル）になっている。
【００９９】
図２〜図８の各々は、第一のバッグ２の本体２ａを構成する四周側面（第一のバッグ２の本体２ａの一対の側面ＳＷ２ａ、Ｓｗ２ｂ及び一対のマチ部４ａ、４ｂ）の表面側及び底面Ｓｂ２ａの表面側に、概ね、第一の素材の表面が外部に対して露呈している状態を示している。
【０１００】
第一のバッグ２は、図１〜図８の各々に示される状態では、第一のバッグ２の本体２ａを構成する四周側面（第一のバッグ２の本体２ａの一対の側面ＳＷ２ａ、Ｓｗ２ｂ及び一対のマチ部４ａ、４ｂ）の表面及び底面Ｓｂ２ａの表面は、第一の素材の表面で概ね構成されており、第一のバッグ２の本体２ａを構成する四周側面（第一のバッグ２の本体２ａの一対の側面ＳＷ２ａ、Ｓｗ２ｂ及び一対のマチ部４ａ、４ｂ）の裏面及び底面Ｓｂ２ａの裏面は、第二の素材の表面で概ね構成されている。
【０１０１】
また、第一のバッグ２は、図１〜図８の各々に示される状態で示される第一のバッグ２を裏返して使用した場合には、後述する、図２５〜図３１の各々に示すように、第一のバッグ２の本体２ａを構成する四周側面（第一のバッグ２の本体２ａの一対の側面ＳＷ２ａ、Ｓｗ２ｂ及び一対のマチ部４ａ、４ｂ）の表面及び底面Ｓｂ２ａの表面は、第二の素材の表面で概ね構成されており、第一のバッグ２の本体２ａを構成する四周側面（第一のバッグ２の本体２ａの一対の側面ＳＷ２ａ、Ｓｗ２ｂ及び一対のマチ部４ａ、４ｂ）の裏面及び底面Ｓｂ２ａの裏面は、第一の素材の表面で概ね構成されている。
【０１０２】
即ち、図２〜図８の各々に示される状態の第一のバッグ２を、裏返しにすると、外部に露呈している第一のバッグ２の本体２ａを構成する四周側面（第一のバッグ２の本体２ａの一対の側面ＳＷ２ａ、Ｓｗ２ｂ及び一対のマチ部４ａ、４ｂ）の表面側が裏面側になり、外部に露呈していない第一のバッグ２の本体２ａを構成する四周側面（第一のバッグ２の本体２ａの一対の側面ＳＷ２ａ、Ｓｗ２ｂ及び一対のマチ部４ａ、４ｂ）の裏面側が表面側になり、外部に露呈している底面Ｓｂ２ａの表面側が裏面側になり、外部に露呈していない底面Ｓｂ２ａの裏面側が表面側になり、図２〜図８の各々に示す第一のバッグ２を裏返しにすると、第一のバッグ２は、概ね、第二の素材の表面が、露呈している状態になる。
【０１０３】
図２〜図８の各々に示される状態では、第一のバッグ２の本体２ａを構成する四周側面（第一のバッグ２の本体２ａの一対の側面ＳＷ２ａ、Ｓｗ２ｂ及び一対のマチ部４ａ、４ｂ）の表面及び底面Ｓｂ２ａの表面には、第一の素材の表面が外部に露呈している
【０１０４】
第一のバッグ２では、第一の素材として、皮革（例えば、天然皮革又は人工皮革）を用いており、図２〜図８の各々に示す状態では、第一のバッグ２の本体２ａを構成する四周側面（第一のバッグ２の本体２ａの一対の側面ＳＷ２ａ、Ｓｗ２ｂ及び一対のマチ部４ａ、４ｂ）の表面及び底面Ｓｂ２ａの表面には、概ね、皮革（例えば、天然皮革又は人工皮革）の表面が露呈している。
【０１０５】
また、第一のバッグ２では、第二の素材として、布製の生地（例えば、織布又はデニム等の生地）を用いており、後述する、図２５〜図３１の各々に示す状態では、第一のバッグ２の本体２ａを構成する四周側面（第一のバッグ２の本体２ａの一対の側面ＳＷ２ａ、Ｓｗ２ｂ及び一対のマチ部４ａ、４ｂ）の表面及び底面Ｓｂ２ａの表面には、布製の生地（例えば、織布又はデニム等の生地）の表面が、概ね、露呈している。
第一のバッグ２は、本体２ａの上部に設けられた開口部ｈ２ａを開閉する第一の開閉手段Ｍｇとを備える。
第一のバッグ２では、第一の開閉手段ＭＧとして、マグネット式のものを用いている。
マグネット式の開閉手段ＭＧは、磁力により互いに引き付けられる、第一の開閉手段半体ＭＧａと、第二の開閉手段半体Ｍｇｂとを備える。
【０１０６】
第一のバッグ２では、第一の開閉手段半体ＭＧａが、第一のバッグ２の本体２ａの第一の側面Ｓｗ２ａの中央の、第一の側面Ｓｗ２ａの上端から所定の距離下がった、上方の位置に、第一の側面Ｓｗ２ａ内に内設するように設けられ、また、第二の開閉手段半体ＭＧｂが、第一のバッグ２の本体２ａの第二の側面Ｓｗ２ｂの中央の、第二の側面Ｓｗ２の上端から所定の距離下がった、上方の位置に、第二の側面Ｓｗ２ｂ内に内設するように設けられている。
また、第一のバッグ２は、その本体２ａの一対のマチ部４ａ、４ｂの各々の内側に、一対の上部が開口したマチ部ポケット５ａ、５ｂの各々を備える。
【０１０７】
第一のバッグ２の本体２ａの一対のマチ部４ａ、４ｂの各々の内側に設けられた、一対の上部が開口したマチ部ポケット５ａ、５ｂの各々を形成するマチ部ポケット側の内側表面Ｓｉ５ａ、Ｓｉ５ｂの各々が防水加工されている。
【０１０８】
第一のバッグ２の本体２ａの一対のマチ部４ａ、４ｂの各々の内側に設けられた、一対の上部が開口したマチ部ポケット５ａ、５ｂの各々の、一対のマチ部４ａ、４ｂの各々の内側に設けられた、一対の上部が開口したマチ部ポケット５ａ、５ｂの各々を形成している、第一のバッグ２の本体２ａの内側の各々に位置する一対の仕切り面５ａ１、５ｂ１の各々の内面Ｓｉ５ａ１、Ｓｉ５ｂ１の各々の上部から所定の位置に第二のバッグ３を着脱するための一対の第一の留め具６ａ、６ｂの各々を備える。
次に、第一のバッグ２に取り付けられている、一対の第一の留め具６ａ、６ｂの各々の構成について、更に、詳しく説明する。
【０１０９】
図１６は、第一のバッグ２の本体２ａの一方のマチ部４ａを、第一のバッグ２の本体２ａの内側から第一のバッグ２の本体２ａの一方のマチ部４ａ方向に見た状態を、一対のマチ部ポケット５ａ、５ｂ中、一方のマチ部ポケット５ａを形成している第一のバッグ２の本体２ａの内側の各々に位置する仕切り面５ａ１、第一の留め具６ａ及びその周辺を中心にして、概略的に示す平面図である。
第一の留め具６ａは、環体７ａと、環体７ａを取り付ける、環体取付け孔ｈ８ａを有する、環体取付部材８ａを備える。
環体取付部材８ａは、第一のバッグ２の本体２ａの内側の各々に位置する仕切り面５ａ１の上方から所定の位置に取り付けられている（縫着されている）。
環体取付部材８ａの環体７ａを取り付ける環体取付け孔ｈ８ａには、環体７ａが挿通されている。
【０１１０】
また、図１７は、本発明に係るバッグを構成する第一のバッグの本体の一対のマチ部４ａ、４ｂの中、他方のマチ部４ｂを、第一のバッグ２の本体２ａの内側から第一のバッグ２の本体２ａの他方のマチ部４ｂ方向に見た状態を、一対のマチ部ポケット５ａ、５ｂ中、他方のマチ部ポケット５ｂを形成している第一のバッグ２の本体２ａの内側の各々に位置する仕切り面５ｂ、第一の留め具６ｂ及びその周辺を中心にして、概略的に示す平面図である。
第一の留め具６ｂは、環体７ｂと、環体７ｂを取り付ける、環体取付け孔ｈ８ｂを有する、環体取付部材８ｂを備える。
環体取付部材８ｂは、第一のバッグ２の本体２ａの内側の各々に位置する仕切り面５ｂ１の上方から所定の位置に取り付けられている（縫着されている）。
環体取付部材８ｂの環体７ｂを取り付ける環体取付け孔ｈ８ｂには、環体７ｂが挿通されている。
また、第一のバッグ２は、その本体２ａに、底面Ｓｂ２を備える。
また、第一のバッグ２の本体２ａの一対のマチ部４ａ、４ｂの各々の外側に、一対の上部が開口したマチ部ポケット１３ａ、１３ｂの各々を備える。
【０１１１】
また、第一のバッグ２は、いわゆる２本手（ｄｏｕｂｌｅ  ｔｏ  ｈａｎｄｌｅｓ）タイプの手提げバッグであって、その本体２ａの一対の側面ＳＷ２ａ、ＳＷ２ｂの各々の上部に、一対の手提げ紐８ａ、８ｂの各々を備える。
また、第一のバッグ２の本体２ａの一対のマチ部４ａ、４ｂの各々の上部に、環体９ａ、９ｂが各々設けられている。
【０１１２】
環体９ａ、９ｂの各々は、装飾目的、または、第一のバッグ２を肩に提げて使用する際に、ショルダーバッグ用のベルトのベルト本体の両端の各々に設けられた一対のフックの各々を取り付けるためのものである。
【０１１３】
また、第一のバッグ２の本体２ａの一対の側面ＳＷ２ａ、ＳＷ２ｂの他方の側面ＳＷ２ｂの内側の所定の位置には、一対の、上部が開口したサイドポケット１１ａ、１１ｂが併設されている。
【０１１４】
また、第一のバッグ２の本体２ａの一対の側面ＳＷ２ａ、ＳＷ２ｂの一方の側面ＳＷ２ａの一方の表面の所定の位置に、サイドポケット３１ａ（図２及び図３の各々中に破線で示すサイドポケット３１ａを参照。）を備える。
【０１１５】
図１、図２及び図３の各々中に示す、部材１０ａは、第一のバッグ２の本体２ａの一対の側面ＳＷ２ａ、ＳＷ２ｂの中、一方の側面ＳＷ２ａの表面に設けられた、サイドポケット３１ａ（図２及び図３の各々中に破線で示すサイドポケット３１ａを参照。）を開閉する開閉手段（開閉具）（スライドファスナー）を示している。
【０１１６】
尚、図１、図２及び図３の各々中に示す、部材１０ａ１は、開閉手段（開閉具）（スライドファスナー）１０ａを構成する務歯（ティース（ｔｅｅｔｈ））部及びジッパーテープ（ｚｉｐｐｅｒ  ｔａｐｅ）部を模式的に示しており、部材１０ａ２は、開閉手段（開閉具）（スライドファスナー）１０ａを構成する引き手（プルタブ（ｐｕｌｌ  ｔａｂ）部を模式的に示している。
【０１１７】
また、第一のバッグ２の本体２ａの一対の側面ＳＷ２ａ、ＳＷ２ｂの一方の側面ＳＷ２ａの他方の表面の所定の位置に、サイドポケット３１ｂ（後述する図２５及び図２６の各々中に破線で示すサイドポケット３１ｂを参照。）を備える。
【０１１８】
また、図２５及び図２６の各々を参照しながら説明すると、図２５及び図２６の各々中に示す、部材３０ａは、サイドポケット３１ｂ（図２５及び図２６の各々中に破線で示すサイドポケット３１ｂを参照。）を開閉する開閉手段（開閉具）（スライドファスナー）を示している。
【０１１９】
図２５及び図２６の各々中に示す、部材３０ａ１は、開閉手段（開閉具）（スライドファスナー）３０ａを構成する務歯（ティース（ｔｅｅｔｈ））部及びジッパーテープ（ｚｉｐｐｅｒ  ｔａｐｅ）部を模式的に示しており、部材３０ａ２は、開閉手段（開閉具）（スライドファスナー）３０ａを開閉する引き手（プルタブ（ｐｕｌｌ  ｔａｂ）部を模式的に示している。
【０１２０】
また、第一のバッグ２の本体２ａの一対の側面ＳＷ２ａ、ＳＷ２ｂの他方の側面ＳＷ２ｂの外側の所定の位置には、一対の、上部が開口したサイドポケット１２ａ、１２ｂが併設されている（図４及び図７の各々中に示す、一対の、上部が開口したサイドポケット１２ａ、１２ｂを参照。）。
次に、第二のバッグ３の構成について説明する。
【０１２１】
第二のバッグ３は、その本体３ａの上面Ｓｕ３ａに開口部ｈ３ａと、本体３ａの上面Ｓｕ３ａに設けられた開口部ｈ３ａを開閉する開閉手段（開閉具）１４ａとを備える。
【０１２２】
図１、図２及び図３の各々中に示す、部材１４ａ１は、開閉手段（開閉具）（スライドファスナー）１４ａを構成する務歯（ティース（ｔｅｅｔｈ））部及びジッパーテープ（ｚｉｐｐｅｒ  ｔａｐｅ）部を模式的に示しており、部材１４ａ２、１４ａ２は、開閉手段（開閉具）（スライドファスナー）１４ａを開閉する引き手（プルタブ（ｐｕｌｌ  ｔａｂ）部を模式的に示している。
【０１２３】
尚、第二のバッグ３では、開閉手段（開閉具）（スライドファスナー）１４ａとして、実際には、務歯（ｔｅｅｔｈ）を隠して縫い目（ｓｅａｍ）のようになっているコンシールファスナー（ｉｎｖｉｓｉｂｌｅ  ｚｉｐｐｅｒ）を用いている。
【０１２４】
第二のバッグ３は、その一対のマチ部２４ａ、２４ｂの各々の外側の上部から所定の位置（第二のバッグ３の底面に向き合う表面）に、第一のバッグ２の本体２ａの一対のマチ部４ａ、４ｂの各々の内側に設けられた、一対の上部が開口したマチ部ポケット５ａ、５ｂの各々の一対の上部が開口したマチ部ポケット５ａ、５ｂの各々を形成している、第一のバッグ２の本体２ａの内側に位置する一対の仕切り面５ａ１、５ｂ１の各々の内面Ｓｉ５ａ１、Ｓｉ５ｂ１の各々の上部から所定の位置に設けられた第二のバッグ３を着脱するために設けられた一対の第一の留め具６ａ、６ｂの各々を備える。
次に、第二のバッグ３に取り付けられている、一対の第一の留め具２６ａ、２６ｂの各々の構成について、更に、詳しく説明する。
【０１２５】
図１８は、図１５中、第二のバッグ３の本体３ａの一対のマチ部２４ａ、２４ｂの一方のマチ部２４ａに設けられている第二の留め具２６ａ及びその周辺を中心にして、概略的に示す斜視図であり、図１８（ａ）は、第二の留め具２６ａのボタン手段２９ａを留めた状態（ボタン手段の一対の一方体２９ａと他方体２９ｂとを嵌め合わせた状態）を概略的に示す斜視図であり、また、図１８（ｂ）は、第二の留め具２６ａのボタン手段を外した状態（ボタン手段２９ａの一対の一方体２９ａ１と他方体２９ａ２と嵌め合わせを解除した状態）を概略的に示す斜視図である。
【０１２６】
一対の第二の留め具２６ａ、２６ｂの一方の第二の留め具２６ａは、紐体２７ａと、紐体２７ａを取り付ける紐体取付部材２８ａと、ボタン手段２９ａとを備える。
紐体取付部材２８ａは、第二のバッグ３の本体３ａの一対のマチ部２４ａ、２４ｂの一方のマチ部２４ａの上端部に取り付けられている。
ボタン手段２９ａは、一方体２９ａ１と、一方体２９ａ１と着脱可能な他方体２９ａ２とを備える。
また、ボタン手段２９ａの一方体２９ａ１は、紐体取付部材２８ａの中央部または概ね中央部の各々に取り付けられている。
紐体２７ａは、その一端が、紐体取付部材２８ａの下方位置に取り付けられている。
【０１２７】
ボタン手段２９ａの他方体２９ａ２は、紐体２７ａの、紐体２７ａが紐体取付部材２８ａに取り付けられている一端ｅａ１とは反対側の他端ｅｂ１の近傍位置の各々に設けられている。
【０１２８】
また、図１９は、図１５中、第二のバッグ３の本体３ａの一対のマチ部２４ａ、２４ｂの他方のマチ部２４ｂに設けられている第二の留め具２６ｂ及びその周辺を中心にして、概略的に示す斜視図であり、図１９（ａ）は、第二の留め具２６ｂのボタン手段２９ｂを留めた状態（ボタン手段２９ｂの一対の一方体２９ｂ１と他方体２９ｂ２とを嵌め合わせた状態）を概略的に示す斜視図であり、また、図１９（ｂ）は、第二の留め具２６ｂのボタン手段を外した状態（ボタン手段２９ｂの一対の一方体２９ｂ１と他方体２９ｂ２との嵌め合わせを解除した状態）を概略的に示す斜視図である。
【０１２９】
一対の第二の留め具２６ａ、２６ｂの他方の第二の留め具２６ｂは、紐体２７ｂと、紐体２７ｂを取り付ける紐体取付部材２８ｂと、ボタン手段２９ｂとを備える。
紐体取付部材２８ｂは、第二のバッグ３の本体３ａの一対のマチ部２４ａ、２４ｂの他方のマチ部２４ｂの上端部に取り付けられている。
ボタン手段２９ｂは、一方体２９ｂ１と、一方体２９ｂ１と着脱可能な他方体２９ｂ２とを備える。
また、ボタン手段２９ｂの一方体２９ｂ１は、紐体取付部材２８ｂの中央部または概ね中央部の各々に取り付けられている。
紐体２７ｂは、その一端が、紐体取付部材２８ｂの下方位置に取り付けられている。
【０１３０】
ボタン手段２９ｂの他方体２９ｂ２は、紐体２７ｂの、紐体２７ｂが紐体取付部材２８ｂに取り付けられている一端ｅａ２とは反対側の他端ｅｂ２の近傍位置の各々に設けられている。
また、第二のバッグ３は、その本体３ａに、第一のバッグの底面Ｓｂ２ａよりやや小さい底面Ｓｂ３ａを備える。
【０１３１】
また、第二のバッグ３の本体３ａは、図１２及び図１３の各々に示すように、側面視した場合（第二のバッグ３をその一対のマチ部２４ａ、２４ｂの中、一方のマチ部２４ａ方向に見た場合（図１２を参照。）、又は、第二のバッグ３をその一対のマチ部２４ａ、２４ｂの中、他方のマチ部２４ｂ方向に見た場合（図１３を参照。））、その上方の幅（図１２及び図１３の各々中、幅Ｗｕ３ａを参照。）が、底面の幅（図１２及び図１３の各々中、幅Ｗｌ３ａを参照。）より、やや幅広になっている（幅Ｗｕ３ａ＞幅Ｗｌ３ａ）。
【０１３２】
即ち、このバッグ１の第二のバッグ３は、第二のバッグ３の一対のマチ部２４ａ、２４ｂの各々を第二のバッグ３の一対のマチ部２４ａ、２４ｂの各々の幅方向に見た場合、第二のバッグ３の一対のマチ部２４ａ、２４ｂの各々の上方の幅が、上方から下方に向かって次第に狭くなるという、上方から下方に向かって尖がった形状（第二のバッグ３の一対のマチ部２４ａ、２４ｂの各々の幅が次第に狭くなる形状）を有する。
【０１３３】
また、このバッグ１の第二のバッグ３は、その本体３ａが、側面視した場合、その上方の長さＬｕ３ａが、第二のバッグ３の本体３ａの底面Ｓｂ３ａの長さＬｌ３ａより、やや長くなっている。
【０１３４】
より具体的に説明すると、このバッグ１の第二のバッグ３は、その本体３ａが、側面視した場合、その上方の長さＬｕ３ａ（図１０に示す長さＬｕ３ａを参照。）が、第一のバッグ２の長さＬｕ２ａに等しいか概ね等しい長さ（長さＬｕ３ａ≒長さＬｕ２ａ）にされており、第二のバッグ３の本体３ａの底面Ｓｂ３ａの長さＬｌ３ａは、第一のバッグ２の底面Ｓｂ２ａの長さＬｌ２ａよりやや短い長さにされている（長さＬｌ３ａ＜長さＬｌ２ａ）。
【０１３５】
また、第二のバッグ３の本体３ａの上面Ｓｕ３ａには、第二のバッグの本体の上面に設けられた開口部ｈ３ａを囲うように、柔軟で且つ復元力を有する鍔体１５が設けられている。
この例では、鍔体１５として、柔軟で且つ復元力を有する皮革（例えば、天然皮革又は人工皮革）を用いており、第二のバッグ３の装飾物でもある。
【０１３６】
また、第二のバッグ３は、その本体３ａの四周側面（第二のバッグ３の本体３ａの一対の側面ＳＷ３ａ、Ｓｗ３ｂ及び一対のマチ部２４ａ、２４ｂ）に、第二のバッグ３の四周側面（第二のバッグ３の本体３ａの一対の側面ＳＷ３ａ、Ｓｗ３ｂ及び一対のマチ部２４ａ、２４ｂ）を巻き回りするように、柔軟で復元力を有する第一の帯状部材１６が設けられている。
この例では、第一の帯状部材１６として、柔軟で且つ復元力を有する皮革（例えば、天然皮革又は人工皮革）を用いており、第二のバッグ３の装飾物でもある。
【０１３７】
第二のバッグ３では、第二のバッグ３の本体３ａの四周側面（第二のバッグ３の本体３ａの一対の側面ＳＷ３ａ、Ｓｗ３ｂ及び一対のマチ部２４ａ、２４ｂ）に、第二のバッグ３の本体３ａの四周側面（第二のバッグ３の本体３ａの一対の側面ＳＷ３ａ、Ｓｗ３ｂ及び一対のマチ部２４ａ、２４ｂ）を巻き回りするように設けられた柔軟で復元力を有する第一の帯状部材１６の形状大きさの元の状態が、第一のバッグ２の本体２ａに設けられた一対の第一の留め具６ａ、６ｂの各々と、第二のバッグ３の本体３ａに設けられた一対の第二の留め具ａ６ａ、２６ｂの各々とを結合し、第一のバッグ２の本体２ａ内に第二のバッグ３を収容固定した際に、第一のバッグ２の本体２ａの、第二のバッグ３の四周側面（第二のバッグ３の本体３ａの一対の側面ＳＷ３ａ、Ｓｗ３ｂ及び一対のマチ部２４ａ、２４ｂ）に、第二のバッグ３の本体３ａの四周側面（第二のバッグ３の本体３ａの一対の側面ＳＷ３ａ、Ｓｗ３ｂ及び一対のマチ部２４ａ、２４ｂ）を巻き回りするように設けられた柔軟で復元力を有する第一の帯状部材が位置する位置の内形状及び大きさを、第二のバッグ３の本体３ａの四周側面（第二のバッグ３の本体３ａの一対の側面ＳＷ３ａ、Ｓｗ３ｂ及び一対のマチ部２４ａ、２４ｂ）を巻き回りするように設けられた柔軟で復元力を有する第一の帯状部材の形状及び大きさと、概ね同じ形状及び大きさにしている。
【０１３８】
また、第二のバッグ３の本体３ａの一対のマチ部２４ａ、２４ｂの各々には、縦方向に、柔軟で復元力を有する一対の第二の帯状部材１７、１７の各々が設けられている。
【０１３９】
また、第二のバッグ３の本体３ａの一対の側面ＳＷ３ａ、ＳＷ３ｂの一方の側面Ｓｗ３ａには、一方の側面Ｓｗ３ａを形成する第三の素材でできた生地Ｃ３と、第四の素材でできた生地（図示せず。）との間に、サイドポケット２１ａが設けられている。
【０１４０】
図１、図２及び図３の各々中に示す、部材１０ａは、第一のバッグ２の本体２ａの一対の側面ＳＷ２ａ、ＳＷ２ｂの中、一方の側面ＳＷ２ａの表面に設けられた、サイドポケット３１ａ（図２及び図３の各々中に破線で示すサイドポケット３１ａを参照。）を開閉する開閉手段（開閉具）（スライドファスナー）を示している。
【０１４１】
尚、図９及び図１０の各々中に示す、部材２０ａ１は、開閉手段（開閉具）（スライドファスナー）２０ａを構成する務歯（ティース（ｔｅｅｔｈ））部及びジッパーテープ（ｚｉｐｐｅｒ  ｔａｐｅ）部を模式的に示しており、部材２０ａ２は、開閉手段（開閉具）（スライドファスナー）２０ａを構成する引き手（プルタブ（ｐｕｌｌ  ｔａｂ）部を模式的に示している。
【０１４２】
また、第二のバッグ３の本体３ａの一対の側面ＳＷ３ａ、ＳＷ３ｂの他方の側面ＳＷ３ｂの外側の所定の位置には、一対のサイドポケット２２ａ、２２ｂ（図１１及び図１４の各々中に示す、一対のサイドポケット２２ａ、２２ｂを参照。）が併設されている。
一対のサイドポケット２２ａ、２２ｂの各々は、各々の上部に開口部ｈ２２ａ、ｈ２２ｂを備える。
【０１４３】
一対のサイドポケット２２ａ、２２ｂの各々の上部に設けられた開口部ｈ２２ａ、ｈ２２ｂの各々は、一対のボタン手段４９ａ、４９ｂの各々によって開閉できるようになっている。
【０１４４】
一対のボタン手段４９ａ、４９ｂの各々は、一対の一方体４９ａ１、４９ｂ１の各々と、一対の一方体４９ａ１、４９ｂ１の各々に着脱可能な（嵌め合わせ可能な）一対の他方体４９ａ１、４９ｂ１の各々とを備える。
【０１４５】
一対のボタン手段４９ａ、４９ｂの、一方のボタン手段４９ａの一方体４９ａ１は、第二のバッグの一対の側面ＳＷ３ａ、ＳＷ３ｂの他方の側面ＳＷ３ｂの外面のサイドポケット２２ａが形成されている領域の中央又は概ね中央部となる位置の所定の位置に設けられ、一方のボタン手段３９ａの他方体４９ａ２は、サイドポケット２２ａを形成する一対の側面ＳＷ３ａ、ＳＷ３ｂの他方の側面ＳＷ３ｂに対向する面ＳＷ２２ａの内面に、他方の側面ＳＷ３ａの外面に設けられた一方体４９ａ１に対向する位置に設けられている。
【０１４６】
また、一対のボタン手段４９ａ、４９ｂの、他方のボタン手段４９ｂの一方体４９ｂ１は、第二のバッグの一対の側面ＳＷ３ａ、ＳＷ３ｂの他方の側面ＳＷ３ｂの外面のサイドポケット２２ｂが形成されている領域の中央又は概ね中央部となる位置の所定の位置に設けられ、他方のボタン手段４９ｂの他方体４９ｂ２は、サイドポケット２２ｂを形成する一対の側面ＳＷ３ａ、ＳＷ３ｂの他方の側面ＳＷ３ｂに対向する面ＳＷ２２ｂの内面に、他方の側面ＳＷ３ｂの外面に設けられた一方体４９ｂ１に対向する位置に設けられている。
【０１４７】
また、第二のバッグ３は、一対の側面ＳＷ３ａ、ＳＷ３ｂの一方の側面ＳＷ３ａの第３の素材ででき生地Ｃ３と第四の素材でできた第四の生地（図示せず。）との間に、サイドポケット（図示せず。）が内設されている。
【０１４８】
第二のバッグ３は、一対の側面ＳＷ３ａ、ＳＷ３ｂの一方の側面ＳＷ３ａの第３の素材ででき生地Ｃ３と第四の素材でできた第四の生地（図示せず。）との間に内設されているサイドポケット（図示せず。）は、一対の側面ＳＷ３ａ、ＳＷ３ｂの一方の側面ＳＷ３ａの内面（第四の素材でできた第四の生地の表面）に、務歯（ティース（ｔｅｅｔｈ））部（図示せず。）及びジッパーテープ（ｚｉｐｐｅｒ  ｔａｐｅ）部（図示せず。）と、開閉手段（開閉具）（スライドファスナー）１４ａを開閉する引き手（プルタブ（ｐｕｌｌ  ｔａｂ）部（図示せず。）とを備える。
【０１４９】
また、第二のバッグ３は、その本体３ａの一対のマチ部２４ａ、２４ｂの各々に、縦方向に、柔軟で復元力を有する一対の第二の帯状部材１７、１７の各々が設けられている。
また、第二のバッグ３は、その本体３ａの一対のマチ部２４ａ、２４ｂの各々の上方位置に、一対の環体１８、１８が各々を備える。
一対の環体１８、１８が各々は、例えば、ベルト手段Ｂの両端の各々に設けられたフック手段５１、５１を取り付けるために設けられている。
【０１５０】
図２０は、ベルト手段Ｂを構成する第一のベルト手段Ｂ１を概略的に示す図であり、図２０（ａ）は、第一のベルト手段Ｂ１を概略的に示す平面図であり、また、図２０（ｂ）は、第一のベルト手段Ｂ１を概略的に示す側面図である。
【０１５１】
第一のベルト手段Ｂ１は、一対の端部ｅ４２、ｅ４２を有する第一のベルト本体部４２と、第一のベルト本体部４２の一対の端部ｅ４２、ｅ４２の各々に設けられた一対の鍔体４３、４３の各々と、一対の鍔体４３、４３の各々の鍔体取付孔ｈ４３、ｈ４３の各々に摺動可能に設けられたフック手段５１、５１とを備える。
図２１は、フック手段５１を拡大して概略的に示す斜視図である。
【０１５２】
フック手段５１は、スリット部５２ｓを有する軸体５２と、軸体５２の途中の位置から枝分かれするように設けられた、開口部ｈ５３を有するヘッド部５３と、軸体５２内に収容された弾性体（この例では、つる巻バネ）５４と、軸体５２内に収容された弾性体５４の一方端５４ｅ１に設けられ、弾性体５４の付勢力により、ヘッド部５３の開口部ｈ５３に突出し、ヘッド部５３の開口部ｈ５３を、常時、閉じた状態にする操作軸５５と、操作軸５５の側方に、軸体５２のスリット部から突出するように設けられ、ヘッド部５３の開口部ｈ５３を、常時、閉じた状態にする操作軸５５を、操作者が、弾性体５４の他端５４ａ方向に押し込んで、ヘッド部５３の開口部ｈ５３を開いた状態にする操作突起５６を備える。
【０１５３】
また、フック手段５１は、ヘッド部５３が設けられている側の軸体５２の他端５２ｅ２側に、環体（いわゆる、Ｄ環）５７が、軸体に対し、回転可能に設けられている。
【０１５４】
図２２は、ベルト手段Ｂを構成する第二のベルト手段Ｂ２を概略的に示す図であり、図２２（ａ）は、第二のベルト手段Ｂ２を概略的に示す平面図であり、図２２（ｂ）は、第二のベルト手段Ｂ２を概略的に示す側面図であり、また、図２２（ｃ）は、第二のベルト手段Ｂ２を概略的に示す底面図である。
【０１５５】
第二のベルト手段Ｂ２は、一対の端部ｅ６２ａ、ｅ６２ｂを有する第二のベルト本体部６２と、第二のベルト本体部６２の一対の端部ｅ６２a、ｅ６２ｂの一方の端部ｅ６２ａに設けられた鍔体６３とを備える。
【０１５６】
また、第二のベルト手段Ｂ２の第二のベルト本体部６２は、ループ部材６４を通された後、平面視した場合、四角形状又は略四角形状の環体６５を経由して、ループ部材６４の下方位置で、その他方の端部ｅ６２ｂが、第二のベルト本体部６２の途中の位置に固定されており、第二のベルト手段Ｂ２は、長さの調整ができるようになっている。
また、図９及び図２２の各々中、６６で示す部材は、鍔体を示しており、鍔体６６は、一対の取付孔ｈ６６ａ、ｈ６６ｂを備える。
【０１５７】
鍔体６６の一対の取付孔ｈ６６ａ、ｈ６６ｂの一方の取付孔ｈ６６ａには、四角形状又は略四角形状の環体６５が取り付けられ、また、鍔体６６の一対の取付孔ｈ６６ａ、ｈ６６ｂの他方の取付孔ｈ６６ｂには、フック手段５１の環体（（いわゆる、Ｄ環）５７が、取り付けられている。
次に、第二のバッグ３を単独で使用する場合の使用法を、例示的に、説明する。
【０１５８】
第二のバッグ３は、例えば、図９に示すように、ベルト手段Ｂとして、第一のベルト手段Ｂ１と第二のベルト手段とを連接したものを用い、第二のバッグ３の本体３ａの一対のマチ部２４ａ、２４ｂの各々の上方位置に設けられた一対の環体１８、１８の各々に、例えば、第一のベルト手段Ｂ１の一方端ｅ４２（又は他端ｅ４２）に設けられているフック手段５１及び第二のベルト手段Ｂ２の鍔体６６に設けられているフック手段５１を取り付けて、ショルダーバッグとして使用する。
【０１５９】
また、例えば、第二のバッグ３は、第二のバッグ３の本体３ａの一対のマチ部２４ａ、２４ｂの各々の上方位置に設けられた一対の環体１８、１８の各々に、例えば、第一のベルト手段Ｂ１の一対の端部ｅ４２、ｅ４２の各々に設けられている一対のフック手段５１、５１の各々を取り付けて、ハンドバッグとして使用する。
【０１６０】
また、例えば、第二のバッグ３は、第二のバッグ３の本体３ａの一対のマチ部２４ａ、２４ｂの各々の上方位置に設けられた一対の環体１８、１８の各々に、例えば、第二のベルト手段Ｂ２の鍔体６６に設けられているフック手段５１及び第二のベルト手段Ｂ２の鍔体４３に設けられているフック手段５１の各々を取り付けて、ショルダーバッグとして使用する。
次に、このバッグ１の使用方法について、例示的に、説明する。
【０１６１】
このバッグ１は、第一のバッグ２の本体２ａ内に第二のバッグ３を収容固定する際に、第一のバッグ２の一対のマチ部４ａ、４ｂの各々の内側に設けられた一対の上部が開口したマチ部ポケット５ａ、５ｂの各々を形成している、第一のバッグ２の本体２ａの内側に位置する一対の仕切り面５ａ１、５ｂ１の各々の内面Ｓｉ５ａ１，Ｓｉ５ｂ１の各々の上部から所定の位置に第二のバッグ３を着脱するための一対の第一の留め具２６ａ、２６ｂの各々と、第二のバッグ３の一対のマチ部２４ａ、２４ｂの各々の外側の上部位置に設けられた一対の第二の留め具２６ａ、２６ｂの各々とを結合して使用する。
次に、第一のバッグ２の本体２ａ内に第二のバッグ３を収容固定する方法（手順）について、例示的に、更に詳しく説明する。
図２３は、第一のバッグ２の本体２ａ内に、第二のバッグ３を収容固定する際の方法（手順）を概略的に説明する説明図である。
【０１６２】
尚、図２３では、説明を容易とするために、第一のバッグ２の本体２ａ内に第二のバッグ３を収容固定する際の、第一のバッグ２の一対の第一の留め具６ａ、６ｂの一方の第一の留め具６ａと、第二のバッグ３の一対の第二の留め具２６ａ、２６ｂの一方の第二の留め具２６ａとの取り付け方法を図示し、第一のバッグ２の一対の第一の留め具６ａ、６ｂの他方の第一の留め具６ｂと、第二のバッグ３の一対の第二の留め具２６ａ、２６ｂの他方の第二の留め具２６ｂとの取り付け方法は、第一のバッグ２の一対の第一の留め具６ａ、６ｂの一方の第一の留め具６ａと、第二のバッグ３の一対の第二の留め具２６ａ、２６ｂの一方の第二の留め具２６ａとの取り付け方法と同様であるので、図示するのを省略する。
【０１６３】
図１６、図１７、図１８、図１９及び図２３を参照しながら、より具体的に、説明すると、このバッグ１は、第一のバッグ２の本体２ａ内に第二のバッグ３を収容固定する際には、第一のバッグ２の一対の第一の留め具６ａ、６ｂの各々の一対の環体７ａ、７ｂの各々に、第二のバッグ３の一対の第二の留め具２６ａ、２６ｂの各々の一対の紐体２７ａ、２７ｂの各々を通した後（図２３（ａ）を参照。）、第二のバッグ３の一対の第二の留め具２６ａ、２６ｂの各々の一対の紐体取付部材２８ａ、２８ｂの各々の中央部または概ね中央部の各々に取り付けられている一対のボタン手段２９ａ、２９ｂの各々の一対の一方体２９ａ１、２９ｂ１の各々と、第二のバッグ３の一対の第二の留め具２６ａ、２６ｂの各々の一対の紐体２７ａ、２７ｂの各々の一端ｅａ１、ｅａ２の各々とは反対側の他端ｅｂ１、ｅｂ２の各々の近傍位置の各々に設けられている一対のボタン手段２９ａ、２９ｂの各々の一対の他方体２９ａ２、２９ｂ２の各々とを嵌め合わせて使用する（図２３（ｂ）を参照）。
【０１６４】
また、このバッグ２は、第一のバッグ２に設けられた一対の留め具６ａ、６ｂの各々と、第二のバッグ３に設けられた一対の第二の留め具２６ａ、２６の各々とを結合し、第一のバッグ２の本体２ａ内に第二のバッグ３を収容固定した際に、第二のバッグ３の上面Ｓｕ３ａの位置が、第一のバッグ２の開口部ｈ２ａを開閉する開閉手段Ｍｇが設けられている位置よりもやや低い位置になるようにされている。
また、図２４は、第１のバック２の本体２ａ内に、第二のバッグ３を収容固定した状態のバッグ１の模式的な断面図である。
【０１６５】
このバッグ１では、第一のバッグ２の本体２ａに設けられた一対の第一の留め具６ａ、６ｂの各々と、第二のバッグ３の本体３ａに設けられた一対の第二の留め具２６ａ、２６ｂの各々とを結合し、第一のバッグ２の本体２ａ内に第二のバッグ３を収容固定した際に、第一のバッグ２の本体２ａに設けられた一対の第一の留め具６ａ、６ｂの各々と、第二のバッグ３の本体３ａに設けられた一対の第二の留め具２６ａ、２６ｂの各々とを結合した際に、第一のバッグ２の本体２ａの底面Ｓｂ２ａ上に、第二のバッグ３の本体３ａの底面Ｓｂ３ａが載置されるようにされている。
【０１６６】
より具体的に説明すると、このバッグ１では、第二のバッグ３の本体３ａの一対の第一の留め具２６ａ、２６ｂの各々の取付け位置から第一のバッグ２の本体２ａの底面Ｓｂ２ａまでの高さ（図１２及び図１３の各々中に示す高さＨ３ａを参照。）が、第一のバッグ２の本体２ａの一対の第一の留め具６ａ、６ｂの各々の取付け位置（より具体的には、一対の第一の留め具６ａ、６ｂの各々の構成部材である１対の環体７ａ、７ｂの各々の下端位置または概ね下端位置）から第一のバッグ２の本体２ａの底面Ｓｂ２ａまでの高さ（図１６及び図１７の各々中に示す高さＨ３ａを参照。）に等しいかこれよりやや大きい高さにされている（高さＨ３ａ≧高さＨ２ａ）。
次に、第一のバッグ２を裏返しにして使用する状態について説明する。
【０１６７】
図２５は、図２に示す第一のバッグ２を裏返しにした状態を概略的に示す斜視図であり、図２６は、図２に示す第一のバッグ２を裏返しにした状態を概略的に示す正面図であり、図２７は、図２に示す第一のバッグ２を裏返しにした状態を概略的に示す背面図であり、図２８は、図２に示す第一のバッグ２を裏返しにした状態を概略的に示す左側面図であり、図２９は、図２に示す第一のバッグ２を裏返しにした状態を概略的に示す右側面図であり、図３０は、図２に示す第一のバッグ２を裏返しにした状態を概略的に示す平面図であり、また、図３１は、図２に示す第一のバッグ２を裏返しにした状態を概略的に示す底面図である。
既に説明した通り、第一のバッグ２が、両面仕立て（リバーシブル）になっている。
【０１６８】
図２〜図８の各々中に示す第一のバッグ２を裏返しにすると、外部に露呈している第一のバッグ２の本体２ａを構成する四周側面（第一のバッグ２の本体２ａの一対の側面ＳＷ２ａ、Ｓｗ２ｂ及び一対のマチ部４ａ、４ｂ）の表面側が裏面側になり、外部に露呈していない第一のバッグ２の本体２ａを構成する四周側面（第一のバッグ２の本体２ａの一対の側面ＳＷ２ａ、Ｓｗ２ｂ及び一対のマチ部４ａ、４ｂ）の裏面側が裏面側になり、外部に露呈している底面Ｓｂ２ａの表面側が裏面側になり、外部に、概ね、第二の素材が露呈するようになる。
【０１６９】
第一のバッグ２では、第二の素材として、布製の生地を用いており、図２に示す状態では、第一のバッグ２の本体２ａを構成する四周側面（第一のバッグ２の本体２ａの一対の側面ＳＷ２ａ、Ｓｗ２ｂ及び一対のマチ部４ａ、４ｂ）の表面及び底面Ｓｂ２ａの表面には、布製の生地の表面が露呈している。
【０１７０】
尚、図２５〜図３１の各々中に示す、第一のバッグ２の構成部材中、図２に示す第一のバッグ２の構成部材に相当する部材については、同一の参照符号を付して、その説明を省略する。
【０１７１】
第一のバッグ２は、図２〜図８の各々に示した状態の第一のバッグ２を裏返すと、図２５〜図３１の各々に示す、上部Ｓｕ２ａに開口部ｈ２ａを有する本体２ａと、一対のマチ部４ａ、４ｂと、一対の側面ＳＷ２ａ、ＳＷ２ｂと、底面Ｓｂ２ｂとを備え、本体２ａのマチ部４ａ、４ｂの各々の内側に、一対の上部が開口したマチ部ポケット１３ａ、１３ｂを備え、本体２ａのマチ部４ａ、４ｂの各々の外側に、一対の上部が開口したマチ部ポケット５ａ、５ｂを備え、本体２ａの一対の側面ＳＷ２ａ、ＳＷ２ｂの一方の側面ＳＷ２ａの表面に、サイドポケット３１ａの開閉手段（開閉具）（スライドファスナー）３０ａを備え、本体２ａの一対の側面ＳＷ２ａ、ＳＷ２ｂの一方の側面ＳＷ２ａの裏面に、サイドポケット３０ａの開閉手段（開閉具）（スライドファスナー）３０ａを備え、本体２ａの一対の側面ＳＷ２ａ、ＳＷ２ｂの他方の側面ＳＷ２ｂの外側の所定の位置に、一対の、上部が開口したサイドポケット１１ａ、１１ｂが併設され、本体２ａの一対の側面ＳＷ２ａ、ＳＷ２ｂの他方の側面ＳＷ２ｂの内側の所定の位置に、一対の、上部が開口したサイドポケット１２ａ、１２ｂを備える。
【０１７２】
次に、両面仕立て（リバーシブル）になっている、第一のバッグ２の対向配置される一対の側面ＳＷ２ａ、ＳＷ２ｂの、少なくとも、一方の側面ＳＷ２ａに内設されている、一対のサイドポケット３１ａ、３１ｂの構成について説明する。
【０１７３】
尚、図２及び図３の各々中、破線で示す部材３１ａは、第一のバッグ２の対向配置される一対の側面ＳＷ２ａ、ＳＷ２ｂの、少なくとも、一方の側面ＳＷ２ａに内設されている、一対のサイドポケット３１ａ、３１ｂの一方のサイドポケット３１ａを示している。
【０１７４】
また、図２５及び図２６の各々中、破線で示す部材３１ｂは、第一のバッグ２の対向配置される一対の側面ＳＷ２ａ、ＳＷ２ｂの、少なくとも、一方の側面ＳＷ２ａに内設されている、一対のサイドポケットの一方のサイドポケット３１ｂを示している。
【０１７５】
図３２は、第一のバッグ２の対向配置される一対の側面ＳＷ２ａ、ＳＷ２ｂの、少なくとも、一方の側面ＳＷ２ａに内設されている、一対のサイドポケット３１ａ、３１ｂの一部を切り欠いて断面図として示す、概略的な一部切り欠き断面図である。
【０１７６】
第一のバッグ２では、第一の素材でできた生地Ｃ１として、皮革（天然皮革又は人工皮革）が用いられ、第二の素材でできた生地Ｃ２として、布製のものが用いられている。
【０１７７】
第一のバッグ２は、両面仕立て（リバーシブル）になっているので、第一のバッグ２の対向配置される一対の側面ＳＷ２ａ、ＳＷ２ｂの、少なくとも、一方の側面ＳＷ２ａの外部に露呈する一対の表面Ｓｏ、Ｓｉの一方の面Ｓｏが、第一の素材でできた生地Ｃ１の表地面Ｓｄｃ１によって形成され、他方の面Ｓｉが、第一の素材でできた生地Ｃ１の表地面Ｓｄｃ１によって形成されている。
そして、一対のサイドポケット３１ａ、３１ｂは、第一の素材でできた生地Ｃ１と第二の素材でできた生地Ｃ２との間に内設されている。
【０１７８】
より具体的に説明すると、一対のサイドポケット３１ａ、３１ｂは、第一の素材でできた生地Ｃ１の裏地面Ｓｌｃ１と、第二の素材でできた生地Ｃ２の裏地面Ｓｌｃ２と間に設けられている。
【０１７９】
一対のサイドポケット３１ａ、３１ｂの一方のサイドポケット３１ａは、第一のバッグ２の本体２ａの一対の側面ＳＷ２ａ、ＳＷ２ｂの一方の側面ＳＷ２ａの第一の素材でできた生地Ｃ１に、開閉手段（開閉具）１０ａを備える（図２及び図３を参照）。
【０１８０】
また、一対のサイドポケット３１ａ、３１ｂの他方のサイドポケット３１ｂは、第一のバッグ２の本体２ａの一対の側面ＳＷ２ａ、ＳＷ２ｂの一方の側面ＳＷ２ａの第二の素材でできた生地Ｃ２に、開閉手段（開閉具）（スライドファスナー）３０ａを備える（図２５及び図２６を参照。）。
また、一対のサイドポケット３１ａ、３１ｂは、一方のサイドポケット３１ａと、他方のサイドポケット３１ｂとを仕切る仕切り面Ｐｔを備える。
仕切り面Ｐｔは、第一の仕切り面Ｐｔ１と、第二の仕切り面Ｐｔ２の２つの面から構成されている。
且つ、図３２に示すように、仕切り面Ｐｔの第一の仕切り面Ｐｔ１の一部と、第二の仕切り面Ｐｔ２の一部とが、重なり合うように設けられている。
このバッグ１は、第一のバッグ２及び第二のバッグ３が、以上の構成を備える結果、以下の効果を奏する。
【０１８１】
このバッグ１では、第一のバッグ２の一対のマチ部４ａ，４ｂの各々の内側に設けられた一対の上部が開口したマチ部ポケット５ａ，５ｂの各々を形成している、第一のバッグ２の本体２ａの内側に位置する一対の仕切り面５ａ１、５ａｂの各々の内面Ｓｉ５ａ１、Ｓｉ５ｂ１の各々の上部から所定の位置の各々に設けられている一対の第一の留め具６ａ，６ｂの各々の位置を、第一のバッグ２の目立たない位置、又は、仮に、第一のバッグ２の所有者や第一のバッグ２を見る第三者が、一対の第一の留め具６ａ，６ｂに注目したとしても、一対の第一の留め具６ａ、６ｂの各々が、装飾として、又はキーホルダーや携帯電話のストラップ等の小物類を取り付ける部材であると認識するのが普通な位置に設けたので、第一のバッグ２に設けた一対の第一の留め具６ａ、６ｂの各々が、目立つことがなく、又は、仮に、第一のバッグ２の所有者や第一のバッグ２を見る第三者が、一対の第一の留め具６ａ、６ｂの各々に注目したとしても、一対の第一の留め具６ａ、６ｂの各々は、第一のバッグ２の装飾を高めるために第一のバッグ２に設けられていると認識するので、第一のバッグ２は、美観に優れ、よそ行き用、外出用のバッグとして、好適に用いることができる。
【０１８２】
即ち、このバッグ１では、第一のバッグ２に設けられた一対の第一の留め具６ａ、６ｂの各々の取り付け位置を、第一のバッグ２の一対のマチ部４ａ、４ｂの各々の内側に設けられた上部が開口したマチ部ポケット５ａ、５ｂを形成している、第一のバッグ２の本体２ａの内側に位置する一対の仕切り面５ａ１、５ｂ１の各々の内面Ｓｉ５ａ１，Ｓｉ５ｂ１の各々の上部から所定の位置という、第一のバッグ２の目立たない位置、又は、仮に、第一のバッグ２の所有者や第一のバッグ２を見る第三者が、一対の第一の留め具６ａ、６ｂの各々に注目したとしても、一対の第一の留め具６ａ、６ｂの各々が、装飾として、又はキーホルダーや携帯電話のストラップ等の小物類を取り付ける部材であると認識するのが普通な位置に設けているので、第一のバッグ２に設けた一対の第一の留め具６ａ、６ｂの各々が、目立つことがなく、又は、仮に、第一のバッグ２の所有者や第一のバッグ２を見る第三者が、一対の第一の留め具６ａ、６ｂの各々に注目したとしても、一対の第一の留め具６ａ、６ｂの各々は、第一のバッグ２の装飾を高めるために第一のバッグ２に設けられていると認識するので、第一のバッグ２は、美観に優れ、よそ行き用、外出用のバッグとして、好適に用いることができる。
【０１８３】
また、第一のバッグ２に設けられている一対の第一の留め具６ａ、６ｂの各々を構成する構成部材を、単なる装飾のように見え、目立つことがなく、又は、仮に、第一のバッグの所有者や第一のバッグを見る第三者が、第一のバッグに設けられている一対の第一の留め具に注目したとしても、そのような構成部材を、キーホルダーや携帯電話のストラップ等の小物類を取り付ける部材であると認識するのが普通である。
【０１８４】
即ち、このバッグ１では、第一のバッグ２に設けられている一対の第一の留め具６ａ、６ｂの各々が、一対の環体７ａ、７ｂの各々と、一対の環体７ａ、７ｂの各々を取り付ける、一対の環体取付け孔ｈ８ａ、ｈ８ｂの各々を有する、一対の環体取付部材２８ａ、２８ｂの各々とを備え、一対の環体取付部材２８ａ、２８ｂの各々の一対の環体７ａ、７ｂの各々を取り付ける一対の環体取付け孔ｈ８ａ、ｈ８ｂの各々には、一対の環体７ａ、７ｂの各々が摺動可能に挿通されている、という構成にしたので、第一のバッグ２の所有者や、第一のバッグ２を見る第三者が、第一のバッグ２に設けられている一対の第一の留め具６ａ、６ｂの各々を、第一のバッグに設けられている装飾に過ぎないと考える結果、目立つことがなく、又は、仮に、第一のバッグ３の所有者や第一のバッグ３を見る第三者が、第一のバッグ３に設けられている一対の第一の留め具６ａ、６ｂに注目したとしても、一対の第一の留め具６ａ、６ｂを構成する取付部材を、第一のバッグ２に設けられている装飾に過ぎない、または、キーホルダーや携帯電話のストラップ等の小物類を取り付ける部材であると認識する結果、第一のバッグ２を、単独で使用した場合に、第一のバッグ２の所有者や、第一のバッグ２を見る第三者が、第一のバッグ２に設けられている一対の第一の留め具６ａ、６ｂの各々を、第一のバッグ２に設けられている装飾に過ぎないと考える結果、目立つことがなく、又は、仮に、第一のバッグ２の所有者や第一のバッグ２を見る第三者が、第一のバッグ２に設けられている一対の第一の留め具６ａ、６ｂに注目したとしても、一対の第一の留め具６ａ、６ｂを構成する取付部材を、第一のバッグ２に設けられている装飾に過ぎない、または、キーホルダーや携帯電話のストラップ等の小物類を取り付ける部材であると認識する構成としたので、美観に優れている。
【０１８５】
且つ、このバッグ１では、第二のバッグ２の一対の第二の留め具６ａ、６ｂの各々の取り付け位置を、第二のバッグ２の目立たない位置、又は、仮に、第二のバッグ２の所有者や第二のバッグ２を見る第三者が、一対の第二の留め具６ａ、６ｂの各々に注目したとしても、一対の第二の留め具６ａ、６ｂが、装飾である、と認識するのが普通な位置に設けているので、第二のバッグ２に設けた一対の第二の留め具６ａ、６ｂの各々が、目立つことがなく、又は、仮に、第二のバッグ２の所有者や第一のバッグ２を見る第三者が、一対の第二の留め具６ａ、６ｂの各々に注目したとしても、一対の第二の留め具６ａ、６ｂの各々は、第二のバッグ２の装飾を高めるために第二のバッグ２に設けられていると認識するので、第二のバッグ２は、美観に優れ、よそ行き用、外出用のバッグとして、好適に用いることができる。
【０１８６】
また、図２５〜図３０の各々を参照しながら説明すると、このバッグ１では、第一のバッグ２に設けられた一対の第一の留め具６ａ、６ｂの各々と、第二のバッグ３に設けられた一対の第二の留め具２６ａ、２６ｂの各々とを結合し、第一のバッグ２の本体２ａ内に第二のバッグ３を収容固定すると、第一のバッグ２の本体２ａの一対の側面Ｓ２ａ１、Ｓ２ａ２の一方の側面Ｓ２ａ１と、第二のバッグ３の本体３ａの一対の側面Ｓ３ａ１、Ｓ３ａ２の一方の側面Ｓ３ａ１との間に隙間（空間）Ｓｐ１が形成され、且つ、第一のバッグ２の本体２ａの一対の側面Ｓ２ａ１、Ｓ２ａ２の他方の側面Ｓ２ａ２と、第二のバッグ３の本体３ａの一対の側面Ｓ３ａ１、Ｓ３ａ２の他方の側面Ｓ３ａ２との間に隙間（空間）Ｓｐ２が形成される。
【０１８７】
即ち、このバッグ１では、第一のバッグ２に設けられた一対の第一の留め具６ａ、６ｂの各々と、第二のバッグ３に設けられた一対の第二の留め具２６ａ、２６ｂの各々とを結合し、第一のバッグ２内に第二のバッグ３を収容固定した際に形成される、第一のバッグ２の一対の側面Ｓ２ａ１、Ｓ２ａ２の一方の側面Ｓ２ａ１と、第二のバッグ３の一対の側面Ｓ３ａ１、Ｓ３ａ２の一方の側面Ｓ３ａ１との間に隙間（空間）Ｓｐ１、及び、第一のバッグ２の一対の側面Ｓ２ａ１、Ｓ２ａ２の他方の側面Ｓ２ａ２と、第二のバッグ３の一対の側面Ｓ３ａ１、Ｓ３ａ２の他方の側面Ｓ３ａ２との間に隙間（空間）Ｓｐ２の各々は、第一のバッグ２の一対の内側サイドポケットとして利用することができる。
【０１８８】
このバッグ１では、第一のバッグ２に設けられた一対の第一の留め具６ａ、６ｂの各々と、第二のバッグ３に設けられた一対の第二の留め具２６ａ、２６ｂの各々とを結合し、第一のバッグ２の本体２ａ内に第二のバッグ３を収容固定した際に形成される、第一のバッグ２の一対の側面Ｓ２ａ１、Ｓ２ａ２の一方の側面Ｓ２ａ１と、第二のバッグ３の一対の側面Ｓ３ａ１、Ｓ３ａ２の一方の側面Ｓ３ａ１との間に隙間（空間）Ｓｐ１（一対のサイドポケットの一方）と、第一のバッグ２の一対の側面Ｓ２ａ１、Ｓ２ａ２の他方の側面Ｓ２ａ２と、第二のバッグ３の一対の側面Ｓ３ａ１、Ｓ３ａ２の他方の側面Ｓ３ａ２との間に隙間（空間）Ｓｐ２（一対のサイドポケットの他方）とは、第二のバッグ３の本体３ａの外表面Ｓｏ３ａと、第一のバッグ２の内表面Ｓｉ２とが導通している。
【０１８９】
したがって、例えば、第一のバッグ２の一対の側面Ｓ２ａ１、Ｓ２ａ２の他方の側面Ｓ２ａ２と、第二のバッグ３の一対の側面Ｓ３ａ１、Ｓ３ａ２の他方の側面Ｓ３ａ２との間に形成される隙間（空間）Ｓｐ２（一対のサイドポケットの他方）内に、物Ｍ１（図２４中では、物Ｍ１を、理解を容易とするために、例示的、便宜的に、実線で、サークル（円）の図形で表している。）が収容されている場合にあっては、バッグ１の所有者等は、第一のバッグ２の一対の側面Ｓ２ａ１、Ｓ２ａ２の一方の側面Ｓ２ａ１と、第二のバッグ３の一対の側面Ｓ３ａ１，Ｓ３ａ２の一方の側面Ｓ３ａ１との間に形成される隙間（空間）Ｓｐ１（一対のサイドポケットの一方）から、所有者等の手指や腕などを挿入し、第一のバッグ２の一対の側面Ｓ２ａ１、Ｓ２ａ２の他方の側面Ｓ２ａ２と、第二のバッグ３の一対の側面Ｓ３ａ１、Ｓ３ａ２の他方の側面Ｓ３ａ２との間に形成される隙間（空間）Ｓｐ２（一対のサイドポケットの他方）内に収容されている物Ｍ１を第一のバッグ２の第一のバッグ２の一対の側面Ｓ２ａ１、Ｓ２ａ２の一方の側面Ｓ２ａ１と、第二のバッグ３の一対の側面Ｓ３ａ１，Ｓ３ａ２の一方の側面Ｓ３ａ１との間に形成される隙間（空間）Ｓｐ１（一対のサイドポケットの一方）から第一のバッグ２の外へ取り出したり、また、これとは逆に、例えば、第一のバッグ２の一対の側面Ｓ２ａ１、Ｓ２ａ２の一方の側面Ｓ２ａ１と、第二のバッグ３の一対の側面Ｓ３ａ１、Ｓ３ａ２の一方の側面Ｓ３ａ１との間に形成される隙間（空間）Ｓｐ１（一対のサイドポケットの一方）内に、物Ｍ２（図２２中では、物Ｍ１を、理解を容易とするために、例示的、便宜的に、二点鎖線（想像線）で、サークル（円）の図形で表している。）が収容されている場合にあっては、バッグ１の所有者等は、第一のバッグ２の一対の側面Ｓ２ａ１、Ｓ２ａ２の他方の側面Ｓ２ａ２と、第二のバッグ３の一対の側面Ｓ３ａ１，Ｓ３ａ２の他方の側面Ｓ３ａ２との間に形成される隙間（空間）Ｓｐ２（一対のサイドポケットの一方）から、所有者等の手指や腕などを挿入し、第一のバッグ２の一対の側面Ｓ２ａ１、Ｓ２ａ２の一方の側面Ｓ２ａ１と、第二のバッグ３の一対の側面Ｓ３ａ１、Ｓ３ａ２の一方の側面Ｓ３ａ１との間に形成される隙間（空間）Ｓｐ１（一対のサイドポケットの他方）内に収容されている物Ｍ２を第一のバッグ２の第一のバッグ２の一対の側面Ｓ２ａ１、Ｓ２ａ２の他の側面Ｓ２ａ２と、第二のバッグ３の一対の側面Ｓ３ａ１，Ｓ３ａ２の他方の側面Ｓ３ａ２との間に形成される隙間（空間）Ｓｐ２（一対のサイドポケットの一方）から第一のバッグ２の外へ取り出したりしたりすることができる。
【０１９０】
また、このバッグ１では、第一のバッグ２に設けられた一対の第一の留め具６ａ、６ｂの各々と、第二のバッグ３に設けられた一対の第二の留め具２６ａ、２６ｂの各々とを結合し、第一のバッグ２の本体２ａ内に第二のバッグ３を収容固定した際に形成される、第一のバッグ２の一対の側面Ｓ２ａ１、Ｓ２ａ２の一方の側面Ｓ２ａ１と、第二のバッグ３の一対の側面Ｓ３ａ１、Ｓ３ａ２の一方の側面Ｓ３ａ１との間に隙間（空間）Ｓｐ１（一対のサイドポケットの一方）と、第一のバッグ２の一対の側面Ｓ２ａ１、Ｓ２ａ２の他方の側面Ｓ２ａ２と、第二のバッグ３の一対の側面Ｓ３ａ１、Ｓ３ａ２の他方の側面Ｓ３ａ２との間に隙間（空間）Ｓｐ２（一対のサイドポケットの他方）とは、第二のバッグ３の本体３ａの外表面Ｓｏ３ａと、第一のバッグ２の内表面Ｓｉ２とが導通しているので、第一のバッグ２に設けられた一対の第一の留め具６ａ、６ｂの各々と、第二のバッグ３に設けられた一対の第二の留め具２６ａ、２６ｂの各々とを結合し、第一のバッグ２の本体２ａ内に第二のバッグ３を収容固定する際に形成される、第一のバッグ２の一対の側面Ｓ２ａ１、Ｓ２ａ２の一方の側面Ｓ２ａ１と、第二のバッグ３の一対の側面Ｓ３ａ１、Ｓ３ａ２の一方の側面との間に隙間（空間）（一対のサイドポケットの一方）と、第一のバッグ２の一対の側面Ｓ２ａ１、Ｓ２ａ２の他方の側面Ｓ２ａ２と、第二のバッグ３の一対の側面Ｓ３ａ１、Ｓ３ａ２の他方の側面Ｓ３ａ２との間に隙間（空間）Ｓｐ２（一対のサイドポケットの他方）との双方にまたがるような比較的大きな物を収容することができる。
【０１９１】
即ち、このバッグ１は、第一のバッグ２の本体２ａ内に第二のバッグ３を収容固定する際に、第一のバッグ２と第二のバッグ３とにより構成される空間（隙間）Ｓｐａ、Ｓｐ２を、第一のバッグ２の一対のポケットとして、有効利用ができるので、利便性に優れている。
また、このバッグ１は、第一のバッグ２の一対のマチ部４ａ、４ｂの各々の内側に、一対の上部が開口したマチ部ポケット５ａ、５ｂの各々を備える。
【０１９２】
したがって、このバッグ１は、第一のバッグ２のマチ部４ａ、４ｂの各々が、一対の上部が開口したマチ部ポケット５ａ、５ｂの各々を形成している、第一のバッグ２の本体２ａの内側に位置する一対の仕切り面５ａ１、５ｂ１の各々により機械的強化が高くなっている。
【０１９３】
この結果、このバッグ１では、第一のバッグ２の本体２ａ内に第二のバッグ３を収容固定する際に、第一のバッグ２の一対のマチ部４ａ、４ｂの各々の内側に設けられた上部が開口したマチ部ポケット５ａ、５ｂを形成している、第一のバッグ２の本体２ａの内側に位置する一対の仕切り面５ａ１、５ｂ１の各々の内面Ｓｉ５ａ１、Ｓｉ５ｂ１の各々の上部から所定の位置に設けられた第二のバッグ２６ａ、２６ｂの各々を着脱するための一対の第一の留め具６ａ、６ｂの各々と、第二のバッグ３の一対のマチ部２４ａ、２４ｂの各々の外側の上部位置に設けられた一対の第二の留め具２６ａ、２６ｂの各々とを結合した場合、第一のバッグ２の本体２ａのマチ部４ａ、４ｂの各々の内面の上方から所定の位置に各々に、第二のバッグ２６ａ、２６ｂの各々を着脱するための一対の第一の留め具６ａ、６ｂの各々を設け、第一のバッグ２の本体２ａのマチ部４ａ、４ｂの各々に設けられた一対の第一の留め具６ａ、６ｂの各々と、第二のバッグ３に設けられた一対の第二の留め具２６ａ、２６ｂの各々とを結合固定して使用するバッグに比べ、このバッグ１は、第一のバッグ２のマチ部４ａ、４ｂの各々が、第一のバッグ２の一対のマチ部４ａ、４ｂの各々の内側に、上部が開口したマチ部ポケットを形成しているので、少なくとも、第一のバッグ２の本体２ａの内側に位置する一対の仕切り面５ａ１、５ａ２の各々を設けた分、機械的強化が高くなっている。
【０１９４】
この結果、このバッグ１は、第一のバッグ２に設けられた一対の第一の留め具２６ａ、２６ｂの各々と、第二のバッグ３に設けられた一対の第二の留め具２６ａ、２６ｂの各々とを結合し、第一のバッグ２の本体２ａ内に第二のバッグ３を収容固定した場合に、第一のバッグ２の一対のマチ部の各々の内側に、一対のマチ部の上方から所定の位置に、上方から所定の位置に各々に、第二のバッグ２６ａ、２６ｂの各々を着脱するための一対の第一の留め具６ａ、６ｂの各々を設け、第一のバッグ２の本体２ａのマチ部４ａ、４ｂの各々に設けられた一対の第一の留め具６ａ、６ｂの各々と、第二のバッグ３に設けられた一対の第二の留め具２６ａ、２６ｂの各々とを結合固定して使用するバッグに比べ、変形や歪が生じ難い。
【０１９５】
即ち、このバッグ１は、第一のバッグ２に設けられた一対の第一の留め具２６ａ、２６ｂの各々と、第二のバッグ３に設けられた一対の第二の留め具２６ａ、２６ｂの各々とを結合し、第一のバッグ２の本体２ａ内に第二のバッグ３を収容固定した場合、第一のバッグ２の一対のマチ部の各々の内側に、一対のマチ部の上方から所定の位置に、上方から所定の位置に各々に、第二のバッグ２６ａ、２６ｂの各々を着脱するための一対の第一の留め具６ａ、６ｂの各々を設け、第一のバッグ２の本体２ａのマチ部４ａ、４ｂの各々に設けられた一対の第一の留め具６ａ、６ｂの各々と、第二のバッグ３に設けられた一対の第二の留め具２６ａ、２６ｂの各々とを結合固定して使用するバッグに比べ、第二のバッグ３による、第一のバッグ３のマチ部４ａ、４ｂの各々が変形や歪が生じ難い分だけ、第一のバッグの形状保持性が保たれる結果、美観に優れている。
【０１９６】
即ち、このバッグ１の第一のバッグ２は、第一のバッグ２に設けられた一対の第一の留め具６ａ、６ｂの各々と、第二のバッグ３に設けられた一対の第二の留め具２６ａ、２６ｂの各々とを結合し、第一のバッグ２の本体２ａ内に第二のバッグ３を収容固定して使用した場合に、美観に優れているので、第一のバッグ２の本体２ａ内に第二のバッグ３を収容固定した状態で、よそ行き用、外出用のバッグとして、好適に用いることができる。
また、このバッグ１は、第一のバッグ２の一対のマチ部４ａ、４ｂの各々の内側に、上部が開口したマチ部ポケット５ａ、５ｂを備える。
第一のバッグ２の一対のマチ部４ａ、４ｂの各々の内側に設けられたマチ部ポケット５ａ、５ｂの各々は上部が開口している。
【０１９７】
したがって、第一のバッグ２の一対のマチ部４ａ、４ｂの各々の内側に設けられた、上部が開口しているマチ部ポケット５ａ、５ｂの各々は、例えば、飲料水の入ったペットボトルその他の容器の出し入れが、第一のバッグ２の上下方向で行えるので、例えば、飲料水の入ったペットボトルその他の容器を縦にして収容するのに適している。
【０１９８】
また、このバッグ１の第一のバッグ３では、第一のバッグ２の一対のマチ部４ａ、４ｂの各々の内側に設けられた上部が開口したマチ部ポケットの各々のいずれか一方又は双方に、例えば、飲料水の入ったペットボトルその他の容器を縦にして収容し、第一のバッグ２に設けられた一対の第一の留め具６ａ、６ｂの各々と、第二のバッグ３に設けられた一対の第二の留め具２６ａ、２６ｂの各々とを結合し、第一のバッグ２の本体２ａ内に第二のバッグ３を収容固定して使用した場合は、第一のバッグ２の一対のマチ部４ａ、４ｂの各々の内側に設けられた上部が開口したマチ部ポケット５ａ、５ｂの各々内に何も収容していない場合に比べて、第一のバッグ２の一対のマチ部４ａ、４ｂの各々の内側に設けられた上部が開口したマチ部ポケット５ａ、５ｂの各々のいずれか一方又は双方に、例えば、飲料水等の入ったペットボトルその他の容器を縦にして収容した分、機械的強度が高くなる。
【０１９９】
したがって、このバッグ１では、第一のバッグ２に設けられた一対の第一の留め具６ａ、６ｂの各々と、第二のバッグ３に設けられた一対の第二の留め具２６ａ、２６ｂの各々とを結合し、第一のバッグ２の本体２ａ内に第二のバッグ３を収容固定し、第一のバッグ２の一対のマチ部４ａ、４ｂの各々の内側に設けられた一対の上部が開口したマチ部ポケット５ａ、５ｂの各々の一方又は双方に、例えば、飲料水の入ったペットボトルその他の容器を縦にして収容すれば、第一のバッグ２の一対のマチ部４ａ、４ｂの各々の内側に設けられた一対の上部が開口したマチ部ポケット５ａ、５ｂの各々に何も収容していない場合に比べ、第一のバッグ２の本体２ａの第一のバッグ２のマチ部４ａ、４ｂの各々が、変形や歪が生じ難い。
【０２００】
即ち、このバッグ１の第一のバッグ２は、第一のバッグに設けられた一対の第一の留め具の各々と、第二のバッグに設けられた一対の第二の留め具の各々とを結合し、第一のバッグの本体内に第二のバッグを収容固定した状態で、第一のバッグの一対のマチ部の各々の内側に設けられた一対の上部が開口したマチ部ポケットの各々の一方又は双方に、例えば、飲料水等の入ったペットボトルその他の容器を縦にして収容して収容する、よそ行き用、外出用のバッグとして、好適に用いることができる。
【０２０１】
また、このバッグ１は、第一のバッグ２の一対のマチ部４ａ、４ｂの各々の内側に設けられた、一対の上部が開口したマチ部ポケット５ａ、５ｂの各々を形成するポケット側の内側表面Ｓｉ５ａ、Ｓｉ５ｂの各々を防水加工しているので、一対の上部が開口したマチ部ポケット５ａ、５ｂの各々に、例えば、冷えた飲料水等の入ったペットボトルその他の容器を収容した場合に、冷えた飲料水等の入ったペットボトルその他の容器の表面に結露を生じても、冷えた飲料水等の入ったペットボトルその他の容器の表面に結露した水が、一対の上部が開口したマチ部ポケット５ａ、５ｂの各々から第一のバッグ２内に漏れ出たり、及び／又は、第一のバッグ２の表面を漏れでたり、濡らすようなことが無い。
【０２０２】
即ち、このバッグ１は、第一のバッグ２の一対のマチ部４ａ、４ｂの各々の内側に設けられた、一対の上部が開口したマチ部ポケット５ａ、５ｂの各々を形成するポケット側の内側表面Ｓｉ５ａ、Ｓｉ５ｂの各々を防水加工しているので、一対の上部が開口したマチ部ポケット５ａ、５ｂの各々内に冷えた飲料水等の入ったペットボトルその他の容器を収容しても、冷えた飲料水等の入ったペットボトルその他の容器の表面に結露した水が、一対の上部が開口したマチ部ポケット５ａ、５ｂの各々から第一のバッグ２の外表面に漏れ出たり、濡らすことがないので、一対の上部が開口したマチ部ポケット５ａ、５ｂの各々内に冷えた飲料水等の入ったペットボトルその他の容器を収容しても、第一のバッグの外観にしみが浮き出たりして、美観が悪くなることがない。
【０２０３】
また、このバッグ１は、第一のバッグ２の本体２ａに設けられた一対の第一の留め具６ａ、６ｂの各々と、第二のバッグ３の本体３ａに設けられた一対の第二の留め具２６ａ、２６ｂの各々とを結合し、第一のバッグ２の本体２ａ内に第二のバッグ３を収容固定した際に、第一のバッグ２の本体２ａの底面Ｓｂ２ａ上に、第二のバッグ３の本体３ａの底面Ｓｂ３ａが載置されるようにしたので、第一のバッグ２の本体２ａ内に第二のバッグ３を収容固定した際に、第一のバッグの本体内に、内袋を宙刷り構造にしたバッグや、第一のバッグの側面の内表面に、内袋を取り付け構造のバッグに比べ、第一のバッグ２の本体２ａ内に第二のバッグ３を収容固定した際の、第一のバッグ２の本体の変形や歪が少ないので、第一のバッグ２が、いびつな形状になり難い。
【０２０４】
即ち、このバッグ１は、第一のバッグ２に設けられた一対の第一の留め具６ａ、６ｂの各々と、第二のバッグ３に設けられた一対の第二の留め具２６ａ、２６ｂの各々とを結合し、第一のバッグ２の本体２ａ内に第二のバッグ３を収容固定した際に、第一のバッグ２が、いびつな形状になり難いので、第一のバッグ２内に第二のバッグ３を収容固定した後の第一のバッグの美観が優れている。
【０２０５】
従って、このバッグ１の第一バッグ２は、第一のバッグ２に設けられた一対の第一の留め具６ａ、６ｂの各々と、第二のバッグ３に設けられた一対の第二の留め具２６ａ、２６ｂの各々とを結合し、第一のバッグ２の本体２ａ内に第二のバッグ３を収容固定して、よそ行き用、外出用のバッグとして、好適に用いることができる。
【０２０６】
また、このバッグは、第二のバッグ３が、第二のバッグ３の一対のマチ部２４ａ、２４ｂの各々を第二のバッグ３の一対のマチ部２４ａ、２４ｂの各々の幅方向に見た場合、第二のバッグ３の本体３ａの一対のマチ部２４ａ、２４ｂの各々の上方の幅が、上方から下方に向かって次第に狭くなるという、上方から下方に向かって尖がった形状（第二のバッグ３の一対のマチ部２４ａ、２４ｂの各々の幅が次第に狭くなる形状）を有するので、第二のバッグ３は、第一のバッグ２の本体２ａ内に収容しやすい。
【０２０７】
また、このバッグ１では、第二のバッグ３の本体３ａが、側面視した場合、その上方の長さＬｕ３ａが、第二のバッグ３の本体３ａの底面Ｓｂ３ａの長さＬｌ３ａより、やや長くなっているので、第二のバッグ３の一対の側面ＳＷ３ａ、ＳＷ３ｂの各々の上方の長さＬｕ３ａが、上方から下方に向かって次第に狭くなるという、上方から下方に向かって尖がった形状（第二のバッグ３の一対の側面ＳＷ３ａ、ＳＷ３ｂの各々の長さが次第に狭くなる形状）を有するので、第二のバッグ３は、第一のバッグ２の本体２ａ内に収容しやすい。
【０２０８】
また、このバッグ１では、第一のバッグ２の本体２ａに設けられた一対の第一の留め具６ａ、６ｂの各々と、第二のバッグ３の本体３ａに設けられた一対の第二の留め具２６ａ、２６ｂの各々とを結合し、第一のバッグ２の本体２ａ内に第二のバッグ３を収容固定すると、第二のバッグ３の本体の四周側面（第二のバッグ３の本体３ａの一対の側面ＳＷ３ａ、Ｓｗ３ｂ及び一対のマチ部２４ａ、２４ｂ）に、第二のバッグ３の本体３ａの四周側面（第二のバッグ３の本体３ａの一対の側面ＳＷ３ａ、Ｓｗ３ｂ及び一対のマチ部２４ａ、２４ｂ）を巻き回りするように設けられた柔軟で復元力を有する第一の帯状部材１６の形状及び大きさが、その復元力により、元の状態になることで、第一のバッグ２の本体２ａ内に、第二のバッグ３を収容固定した際に、第一のバッグ２の本体２ａの形状が歪になり難いので、第一のバッグ２は、第一のバッグ２の本体２ａ内に第二のバッグ３を収容固定した後において、第一のバッグは、美観に優れている。
【０２０９】
従って、バッグ１の第一のバッグ２は、第一のバッグ２に設けられた一対の第一の留め具６ａ、６ｂの各々と、第二のバッグ３に設けられた一対の第二の留め具２６ａ、２６ｂの各々とを結合し、第一のバッグ２の本体２ａ内に第二のバッグ３を収容固定して、よそ行き用、外出用のバッグとして、好適に用いることができる。
【０２１０】
また、このバッグ１は、第二のバッグ３の本体３ａの一対のマチ部２４ａ、２４ｂの各々の外側の各々に、縦方向に、柔軟で復元力を有する一対の第二の帯状部材１７、１７の各々が設けられている、という構成を備えるので、第一のバッグ２に設けられた一対の第一の留め具６ａ、６ｂの各々と、第二のバッグ３に設けられた一対の第二の留め具２６ａ、２６ｂの各々とを結合し、第一のバッグ２の本体２ａ内に第二のバッグ３を収容固定した際に、第一のバッグ２内において、第二のバッグ３が外乱等により変形している場合にあっても、第二のバッグ３の一対のマチ部２４ａ、２４ｂの各々の外側の各々に、縦方向に、設けられた、一対の第二の帯状部材１７、１７の各々の復元力により、第二のバッグ３が元の状態に戻るので、第一のバッグ２の本体２ａ内に第二のバッグ３を収容した際に、第一のバッグ２の底面Ｓｂ２ａ上に、第二のバッグ３の底面Ｓｂ３ａが載置されるようなる。
【０２１１】
また、このバッグ１では、第一のバッグ２に設けられた一対の第一の留め具６ａ、６ｂの各々と、第二のバッグ３に設けられた一対の第二の留め具２６ａ、２６ｂの各々とを結合し、第一のバッグ２の本体２ａ内に第二のバッグ３を収容固定した際に、第一のバッグ２内に収容された内容物が、第一のバッグ２の底面Ｓｂ２ａと、第二のバッグ３の底面Ｓｂ３ａとの間にある場合には、第二のバッグ３の一対のマチ部２４ａ、２４ｂの各々の外側の各々に、縦方向に、設けられた、一対の第二の帯状部材１７、１７の各々の復元力により、第二のバッグ３が元の状態に戻ろうとする復元力（付勢力）により、第一のバッグ２の底面Ｓｂ２ａに、緩やかに押し付けられ、第一のバッグ２内に収容された内容物が、外乱により動くことがある程度規制される。
【０２１２】
この結果、このバッグ１は、第一のバッグ２に設けられた一対の第一の留め具６ａ、６ｂの各々と、第二のバッグ３に設けられた一対の第二の留め具２６ａ、２６ｂの各々とを結合し、第一のバッグ２の本体２ａ内に第二のバッグ３を収容固定した際に、第二のバッグ３が第一のバッグ２によって、及び／又は、第一のバッグ２内に収容された内容物が第一のバッグ２の底面Ｓｂ２ａと、第二のバッグ３の底面Ｓｂ３ａとの間にある場合には、その内容物が外乱により動くことがある程度規制される結果、第一のバッグ２がいびつに変形するようなことが生じ難い。
【０２１３】
即ち、このバッグ１は、第一のバッグ２に設けられた一対の第一の留め具６ａ、６ｂの各々と、第二のバッグ３に設けられた一対の第二の留め具２６ａ、２６ｂの各々とを結合し、第一のバッグ２の本体２ａ内に第二のバッグ３を収容固定した際の美観が優れている。
【０２１４】
従って、このバッグ１の第一のバッグ２は、第一のバッグ２の本体２ａ内に第二のバッグ３を収容固定して、よそ行き用、外出用のバッグとして、好適に用いることができる。
【０２１５】
また、このバッグ１は、第一のバッグ２に設けられた一対の第一の留め具６ａ、６ｂの各々と、第二のバッグ３に設けられた一対の第二の留め具２６ａ、２６ｂの各々とを結合し、第一のバッグ２の本体２ａ内に第二のバッグ３を収容固定した際に、第二のバッグ３の上面Ｓｕ３ａの位置が、第一のバッグ２の本体２ａの開口部ｈ２ａを開閉する開閉手段ＭＧ設けられている位置よりもやや低い位置になるようにされている。
【０２１６】
従って、このバッグ１は、第一のバッグ２の第一の素材でできた生地Ｃ１の表面を外にして使用した場合であっては、第一のバッグ２の本体２ａの開口部ｈ２ａを開閉する開閉手段ＭＧの結合を解除することなく、第一のバッグ２の本体２ａの開口部ｈ２ａを閉じたままの状態にして、第一のバッグ２の対向配置される一対の側面ＳＷ２ａ、ＳＷ２ｂの、少なくとも、一方の側面ＳＷ２ａに設けられた、一対のサイドポケット３１ａ、３１ｂの他方のサイドポケット３１ｂ内に収容された内容物を、一対のサイドポケット３１ａ、３１の中、第一のバッグ２の側面ＳＷ２ａの第一の素材でできた生地Ｃ１の表面に設けられた一方のサイドポケット３１ａの開閉手段（開閉具）（スライドファスナー）１０ａから手指を用いて、第一の仕切り面Ｐｔ１と、第二の仕切り面Ｐｔ２の２つの面から構成され、第一の仕切り面Ｐｔ１の一部と、第二の仕切り面Ｐｔ２の一部とが、重なり合うように設けられている、一方のサイドポケット３１ａと、他方のサイドポケット３１ｂとを仕切る仕切り面Ｐｔの隙間を介して、第一のバッグ２の外側に取り出すことができる。
【０２１７】
また、このバッグ１は、第一のバッグ２の第二の素材でできた生地Ｃ２の表面を外にして使用した場合であっては、第一のバッグ２の本体２ａの開口部ｈ２ａを開閉する開閉手段ＭＧの結合を解除することなく、第一のバッグ２の本体２ａの開口部ｈ２ａを閉じたままの状態にして、第一のバッグ２の対向配置される一対の側面ＳＷ２ａ、ＳＷ２ｂの、少なくとも、一方の側面ＳＷ２ａに設けられた、一対のサイドポケット３１ａ、３１ｂの一方のサイドポケット３１ａ内に収容された内容物を、一対のサイドポケット３１ａ、３１の中、第一のバッグ２の側面ＳＷ２ｂの第二の素材でできた生地Ｃ２の表面に設けられた他方のサイドポケット３１ｂの開閉手段（開閉具）（スライドファスナー）３０ａから手指を用いて、第一の仕切り面Ｐｔ１と、第二の仕切り面Ｐｔ２の２つの面から構成され、第一の仕切り面Ｐｔ１の一部と、第二の仕切り面Ｐｔ２の一部とが、重なり合うように設けられている、一方のサイドポケット３１ａと、他方のサイドポケット３１ｂとを仕切る仕切り面Ｐｔの隙間を介して、第一のバッグ２の外側に取り出すことができる。
【０２１８】
更には、このバッグ１は、第一のバッグ２の第一の素材でできた生地Ｃ１の表面を外にして使用した場合であって、第一のバッグ２の本体２ａ内に第二のバッグ３を、第一のバッグ２に設けられた一対の第一の留め具６ａ、６ｂの各々と、第二のバッグ３に設けられた一対の第二の留め具２６ａ、２６ｂの各々とを結合し、第一のバッグ２の本体２ａ内に第二のバッグ３を収容固定している場合にあっては、第一のバッグ２の本体２ａの開口部ｈ２ａを開閉する開閉手段ＭＧの結合を解除することなく、第一のバッグ２の本体２ａの開口部ｈ２ａを閉じたままの状態にして、第一のバッグ２の本体２ａの一対の側面Ｓｗ２ａ、ＳＷ２ｂの一方の側面ＳＷ２ａと、第二のバッグ３の本体３ａの一対の側面ＳＷ３ａ、ＳＷ３ｂの一方の側面ＳＷ３ａとの間に隙間（空間）Ｓｐ１内に収容されている内容物や、第一のバッグ２の本体２ａの一対の側面ＳＷ２ａ、ＳＷ２ｂの他方の側面ＳＷ２ｂと、第二のバッグ３の本体３ａの一対の側面ＳＷ３ａ、ＳＷ３ｂの他方の側面ＳＷ３ｂとの間に隙間（空間）Ｓｐ２内に収容されている内容物や、第二のバッグ３の本体３ａ内に収容されている内容物や、第二のバッグ３の本体３ａの一対の側面ＳＷ３ａ、ＳＷ３ｂの一方の側面ＳＷ３ａに設けられているサイドポケット２１ａ内の内容物や、第二のバッグ３の本体３ａの一対の側面ＳＷ３ａ、ＳＷ３ｂの他方の側面ＳＷ３ｂの外側の所定の位置に設けられている、一対の、上部が開口したサイドポケット２２ａ、２２ｂの各々内に収容されている内容部を、第一のバッグ２の側面ＳＷ２ａの第一の素材でできた生地Ｃ１の表面に設けられた一方のサイドポケット３１ａの開閉手段（開閉具）（スライドファスナー）１０ａから手指を用いて、第一の仕切り面Ｐｔ１と、第二の仕切り面Ｐｔ２の２つの面から構成され、第一の仕切り面Ｐｔ１の一部と、第二の仕切り面Ｐｔ２の一部とが、重なり合うように設けられている、一方のサイドポケット３１ａと、他方のサイドポケット３１ｂとを仕切る仕切り面Ｐｔの隙間、及び、第一のバッグ２の側面ＳＷ２ａの裏面の第二の素材でできた生地Ｃ２の表面に開閉手段（開閉具）（スライドファスナー）３０ａを備える他方のサイドポケット３１ｂを介して、第一のバッグ２の外側に取り出すことができる。
即ち、このバッグ１は、利便性が優れている。
【０２１９】
また、このバッグ１では、第一のバッグ２の本体２ａに設けられた一対の第一の留め具６ａ、６ｂの各々と、第二のバッグ３の本体３ａに設けられた一対の第二の留め具２６ａ、２６ｂの各々とを結合し、第一のバッグ２の本体２ａ内に第二のバッグ３を収容固定した後に、第一のバッグ２の本体２ａの上部Ｓｕ２ａに設けられた開口部ｈ２ａを開閉する開閉手段ＭＧにより開いた状態にすれば、第二のバッグ３の本体３ａの上面Ｓｕ３ａに開口部ｈ３ａを囲うように設けられた鍔体１５が、第一のバッグ２の本体２ａ内に収容された、第二のバッグ３の本体３ａの上面Ｓｕ３ａの開口部ｈ３ａを上方向に位置するように、即ち、第一のバッグ２の本体２ａの上部Ｓｕ２ａに設けられた開口部ｈ２ａと、第二のバッグ３の本体３ａの上面Ｓｕ３ａに開口部ｈ３ａとが同じ方向、即ち、ともに、上方向に位置するようにしている。
【０２２０】
この結果、このバッグ１は、第一のバッグ２の本体２ａに設けられた一対の第一の留め具６ａ、６ｂの各々と、第二のバッグ３の本体３ａに設けられた一対の第二の留め具２６ａ、２６ｂの各々とを結合し、第一のバッグ２の本体２ａ内に第二のバッグ３を収容固定した後に、第一のバッグ２の本体２ａの上部Ｓｕ２ａに設けられた開口部ｈ２ａを開閉手段ＭＧにより開いた状態にすれば、第二のバッグ３の本体３ａの上面Ｓｕ３ａに開口部ｈ３ａを囲うように設けられた鍔体１５が、第一のバッグ２の本体２ａの上部Ｓｕ２ａに設けられた開口部ｈ２ａと、第二のバッグ３の本体３ａの上面Ｓｕ３ａの開口部ｈ３ａとが同じ方向、即ち、ともに、上方向に位置するようにしているので、第二のバッグ３の本体３ａの内部に収容された内容物を、第二のバッグ３の本体３ａの上部Ｓｕ３ａに設けられた開口部ｈ３ａ及び第一のバッグ２の上部Ｓｕ２ａに設けられた開口部ｈ２ａを介して、容易に、第一のバッグ２の外に取り出すことができるので、利便性に優れている。
【０２２１】
また、このバッグ１は、第一のバッグ２の本体２ａ内に第二のバッグ３を収容固定した際に、第一のバッグの本体２ａ内において、第二のバッグ３が外乱等により動くことが、第二のバッグ３の本体３ａの四周側面に、第二のバッグ３の本体３ａの四周側面を巻き回りするように設けられた柔軟で復元力を有する第一の帯状部材１６により制限される。
【０２２２】
この結果、このバッグ１は、第一のバッグ２の本体２ａに設けられた一対の第一の留め具６ａ、６ｂの各々と、第二のバッグ３の本体３ａに設けられた一対の第二の留め具２６ａ、２６ｂの各々とを結合し、第一のバッグ２の本体２ａ内に第二のバッグ３を収容固定した際に、第一のバッグ２の本体２ａが第二のバッグ３によりいびつに変形するようなことが生じ難いので、第一のバッグ２は、その美観が優れている。
【０２２３】
従って、このバッグ１の第一のバッグ２は、第一のバッグ２の本体２ａに設けられた一対の第一の留め具６ａ、６ｂの各々と、第二のバッグ３の本体３ａに設けられた一対の第二の留め具２６ａ、２６ｂの各々とを結合し、第一のバッグ２の本体２ａ内に第二のバッグ３を収容固定して、よそ行き用、外出用のバッグとして、好適に用いることができる。
【０２２４】
また、このバッグ１は、第二のバッグ３の本体３ａの一対のマチ部２４ａ、２４ｂの各々の外側の各々に、縦方向に、柔軟で復元力を有する一対の第二の帯状部材１７、１７の各々を備えるので、第一のバッグ２の本体２ａに設けられた一対の第一の留め具６ａ、６ｂの各々と、第二のバッグ３に設けられた一対の第二の留め具２６ａ、２６ｂの各々とを結合し、第一のバッグ２の本体２ａ内に第二のバッグ３を収容固定した際に、第一のバッグ２の本体２ａ内において、第二のバッグ３が外乱等により変形している場合にあっても、第二のバッグ３の本体３ａの一対のマチ部２４ａ、２４ｂの各々の外側の各々に、縦方向に、設けられた、一対の第二の帯状部材１７、１７の各々の復元力により、第二のバッグ３が元の状態に戻るので、第一のバッグ２の本体２ａ内に第二のバッグ３を収容した際に、第一のバッグ２の本体２ａの底面Ｓｂ２ａ上に、第二のバッグ３の本体３ａの底面Ｓｂ３ａが載置されるようなる。
【０２２５】
即ち、このバッグ１では、第一のバッグ２の本体２ａに設けられた一対の第一の留め具６ａ、６ｂの各々と、第二のバッグ３の本体３ａに設けられた一対の第二の留め具２６ａ、２６ｂの各々とを結合し、第一のバッグ２の本体２ａ内に第二のバッグ３を収容固定した際に、第一のバッグ２の本体２ａ内に収容された内容物が、第一のバッグ２の本体２ａの底面Ｓｂ２ａと、第二のバッグ３の本体３ａの底面Ｓｂ３ａとの間にある場合には、そのような内容物は、第二のバッグ３の本体３ａの一対のマチ部２４ａ、２４ｂの各々の外側の各々に、縦方向に、設けられた、一対の第二の帯状部材１７、１７の各々の復元力により、第二のバッグ３の本体３ａが元の状態に戻ろうとする復元力（付勢力）により、第一のバッグ２の本体２ａの底面Ｓｂ２ａに、緩やかに押し付けられる結果、第一のバッグ２の本体２ａ内に収容された内容物が、外乱により動くことがある程度規制される。
【０２２６】
この結果、このバッグ１は、第一のバッグ２の本体２ａに設けられた一対の第一の留め具６ａ、６ｂの各々と、第二のバッグ３の本体３ａに設けられた一対の第二の留め具２６ａ、２６ｂの各々とを結合し、第一のバッグ２の本体２ａ内に第二のバッグ３を収容固定した際に、第二のバッグ３が第一のバッグの本体２ａの底面Ｓｂ２ａによって、及び／又は、第一のバッグ２の本体２ａ内に収容された内容物が第一のバッグ２の本体２ａの底面Ｓｂ２ａと、第二のバッグ３の本体３ａの底面Ｓｂ３ａとの間にある場合には、そのような内容物が外乱により動くことがある程度規制される結果、第一のバッグ２の本体２ａがいびつに変形するようなことが生じ難い。
【０２２７】
即ち、このバッグ１は、第一のバッグ２の本体２ａに設けられた一対の第一の留め具２６ａ、２６ｂの各々と、第二のバッグ３の本体３ａに設けられた一対の第二の留め具２６ａ、２６ｂの各々とを結合し、第一のバッグ２の本体２ａ内に第二のバッグ３を収容固定した際の美観が優れている。
【０２２８】
従って、このバッグ１の第一のバッグ２は、第一のバッグ２の本体２ａ内に第二のバッグ３を収容固定して、よそ行き用、外出用のバッグとして、好適に用いることができる。
【０２２９】
以上、上記した発明を実施するための形態では、本発明に係るバッグの好ましい例として、第一のバッグ２が、その本体２ａの一対のマチ部４ａ、４ｂの各々の内側に、一対の上部が開口したマチ部ポケット５ａ、５ｂの各々を備え、第一のバッグ２の本体２ａの一対のマチ部４ａ、４ｂの各々の内側に設けられた、一対の上部が開口したマチ部ポケット５ａ、５ｂの各々の、一対のマチ部４ａ、４ｂの各々の内側に設けられた、一対の上部が開口したマチ部ポケット５ａ、５ｂの各々を形成している、第一のバッグ２の本体２ａの内側の各々に位置する一対の仕切り面５ａ１、５ｂ１の各々の内面Ｓｉ５ａ１、Ｓｉ５ｂ１の各々の上部から所定の位置に第二のバッグ３を着脱するための一対の第一の留め具６ａ、６ｂの各々を備えるものの場合を中心にして説明したが、これは、単に、本発明の好ましい例を示したに過ぎず、本発明に係るバッグは、第一のバッグ２が、その本体２ａの一対のマチ部４ａ、４ｂの各々の内側の所定の位置に第二のバッグ３を着脱するための一対の第一の留め具６ａ、６ｂの各々を備えるものも含まれる（請求項１に係る発明及び請求項２に係る発明を参照）。
【０２３０】
また、本発明に係るバッグは、第一のバッグ２の第一の留め具６ａ、６ｂの各々と、第二のバッグ３の第二の留め具２６ａ、２６ｂの各々は、第一の留め具６ａ、６ｂの各々と、第一のバッグ２の第二の留め具２６ａ、２６ｂとが着脱自在であれば、種々の着脱手段を用いることができる。そのような着脱手段としては、フック手段とフック手段との組み合わせや、環体とフック手段との組み合わせ、ボタン手段、面ファスナー等の種々の着脱手段を用いることができる。
【産業上の利用可能性】
【０２３１】
単独で使用した場合に、ファッショナブルな第一のバッグと、単独で使用した場合に、ファッショナブルで且つ第一のバッグであるとは到底思われることのない第二のバッグとを備え、第二のバッグを第一のバッグに収容した場合、第一のバッグと第二のバッグとにより構成される空間（隙間）を有効利用できるようにした、ファッショナブルな、また、利便性を向上させた、バッグを提供する。
【符号の説明】
【０２３２】
１    バッグ
２    第一のバッグ
２ａ    第一バッグの本体
３    第二のバッグ
３ａ  第二のバッグの本体
４ａ、４ｂ    第一のバッグマチ部
５ａ、５ｂ    上部が開口したマチ部ポケット
５ａ１、５ａ２    上部が開口したマチ部ポケットを形成している仕切り面
６ａ、６ｂ    第一の留め具
７ａ、７ｂ    環体
８ａ、８ｂ、９ａ、９ｂ    環体取付部材
１０ａ    一方のサイドポケットの開閉手段（開閉具）
１１ａ、１１ｂ、１２ａ、１２ｂ、１３ａ、１３ｂ    上部が開口したサイドポケット
１４ａ    開閉手段（開閉具）（スライドファスナー）
１４ａ１    務歯（ティース（ｔｅｅｔｈ））部及びジッパーテープ（ｚｉｐｐｅｒ  ｔａｐｅ）部
１４ａ２    開閉手段（開閉具）（スライドファスナー）１４ａを構成する引き手（プルタブ（ｐｕｌｌ  ｔａｂ）部
１５    鍔体
１６    第一の帯状部材
１７    第二の帯状部材
１８    環体
２１ａ    サイドポケット
２２ａ、２２ｂ    上部が開口したサイドポケット
２４ａ、２４ｂ    第二のバッグのマチ部
２６ａ、２６ｂ    第二の留め具
２７ａ、２７ｂ    紐体
２８ａ、２８ｂ    紐体取付部材
２９ａ、２９ｂ    ボタン手段
２９ａ１、２９ｂ１    ボタン手段の一方体
２９ａ２、２９ｂ２    ボタン手段の一方体と着脱可能な他方体
３０ａ    開閉手段（開閉具）スライドファスナー
３１ａ、３１ｂ    サイドポケット
３９ａ    開閉手段（この例ではボタン手段）
３９ａ１    開閉手段（この例ではボタン手段）の一方の一方体
３９ｂ１    開閉手段（この例ではボタン手段）の他方の一方体
３９ａ２    開閉手段（この例ではボタン手段）の一方の他方体
３９ｂ２    開閉手段（この例ではボタン手段）の他方の他方体
４１ａ    一方のサイドポケット
４２    第一のベルト本体部
４３    第一のベルト本体部の一対の端部の各々に設けられた鍔体
４９ａ、４９ｂ    ボタン手段
４９ａ１、４９ｂ１    ボタン手段の一方体
４９ａ２、４９ｂ２    ボタン手段の一方体
５１    フック手段
５２    フック手段の軸体
５２ｅ２    ヘッド部が設けられている側の軸体の他端
５２ｓ    フック手段の軸体に設けられているスリット部
５３    フック手段のヘッド部
５４    弾性体
５４ｅ１    弾性体の一方端
５５    操作軸
５６    操作突起
５７    環体（いわゆる、Ｄ環）
６２    第二のベルト手段の第二のベルト本体部
６４    ループ部材
６５    略四角形状の環体
６６    鍔体
Ｂ    ベルト手段
Ｂ１    第一のベルト手段
Ｂ２    第二のベルト手段
Ｃ１    第一の素材でできた生地
Ｃ２    第二の素材でできた生地
ｅ４２    第一のベルト本体部の端部
ｅ６２ａ    第二のベルト手段の第二のベルト本体部の一対の端部の一方の端部
ｅ６２ｂ    第二のベルト手段の第二のベルト本体部の一対の端部の他方の端部
ｈ２ａ    第一のバッグの開口部
ｈ３ａ    第二のバッグの開口部
ｈ５３    フック手段のヘッド部に設けられている開口部
ｈ６６ａ    鍔体の一対の取付孔の一方の取付孔
ｈ６６ｂ    鍔体の一対の取付孔の一方の取付孔
Ｍｇ    第一の開閉手段（マグネット式のもの）
Ｍｇａ    第一の開閉手段半体
Ｍｇｂ    第二の開閉手段半体
Ｓｕ２ａ    第一のバッグの上部
Ｓｂ２ａ    第一のバッグの底面
Ｓｂ３ａ    第二のバッグの底面
【０２３３】
Ｓｉ５ａ、Ｓｉ５ｂ    第一のバッグの本体の一対のマチ部の各々に設けられた一対の上部が開口したマチ部ポケットの各々を形成するマチ部ポケット側の内側表面
Ｓｉ５ａ１、Ｓｉ５ｂ１    上部が開口したマチ部ポケットを形成している仕切り面の第一のバッグの本体の内側の各々に位置する内面
ＳＷ２ａ    第一のバッグの一対の側面中、一方の側面
ＳＷ２ｂ    第一のバッグの一対の側面中、他方の側面
ＳＷ３ａ    第二のバッグの一対の側面中、一方の側面
ＳＷ３ｂ    第二のバッグの一対の側面中、他方の側面
【図１】
2013202097.tif 000003
【図２】
2013202097.tif 000004
【図３】
2013202097.tif 000005
【図４】
2013202097.tif 000006
【図５】
2013202097.tif 000007
【図６】
2013202097.tif 000008
【図７】
2013202097.tif 000009
【図８】
2013202097.tif 000010
【図９】
2013202097.tif 000011
【図１０】
2013202097.tif 000012
【図１１】
2013202097.tif 000013
【図１２】
2013202097.tif 000014
【図１３】
2013202097.tif 000015
【図１４】
2013202097.tif 000016
【図１５】
2013202097.tif 000017
【図１６】
2013202097.tif 000018
【図１７】
2013202097.tif 000019
【図１８】
2013202097.tif 000020
【図１９】
2013202097.tif 000021
【図２０】
2013202097.tif 000022
【図２１】
2013202097.tif 000023
【図２２】
2013202097.tif 000024
【図２３】
2013202097.tif 000025
【図２４】
2013202097.tif 000026
【図２５】
2013202097.tif 000027
【図２６】
2013202097.tif 000028
【図２７】
2013202097.tif 000029
【図２８】
2013202097.tif 000030
【図２９】
2013202097.tif 000031
【図３０】
2013202097.tif 000032
【図３１】
2013202097.tif 000033
【図３２】
2013202097.tif 000034
【図３３】
2013202097.tif 000035
【図３４】
2013202097.tif 000036
【図３５】
2013202097.tif 000037